(57)【要約】【課題】入金確定時の収納処理の処理時間を短縮可能であって、ジャムの発生を抑制することが可能となる紙幣処理機を提供する。【解決手段】入金処理時に、入金部２０に投入された紙幣を識別部３１の識別結果に基づいて複数の一時貯留領域部４７に貯留させると共に、複数の一時貯留領域部４７の少なくともいずれか一つが所定の貯留状態になったとき、当該所定の貯留状態の一時貯留領域部４７に貯留できないオーバーフロー紙幣を収納カセット部５１に貯留させる制御手段７１を備える。【選択図】図２
2019061604.tif 000002
【特許請求の範囲】
【請求項１】
機外から紙幣が投入される入金部と、
該入金部から繰り出された紙幣を識別する識別部と、
紙幣を繰り出し可能に一時貯留する、底部が開閉可能な複数の一時貯留領域部と、
前記一時貯留領域部の下側に設けられ、底部が開状態とされた前記一時貯留領域部から紙幣を受け入れて繰り出し可能に収納する複数の収納領域部と、
紙幣を機外に取り出し可能とする取出部と、
紙幣を収納可能であって収納している紙幣を繰り出し可能な収納カセット部と、
入金処理時に、前記入金部に投入された紙幣を前記識別部の識別結果に基づいて前記複数の一時貯留領域部に貯留させると共に、前記複数の一時貯留領域部の少なくともいずれか一つが所定の貯留状態になったとき、当該所定の貯留状態の一時貯留領域部に貯留できないオーバーフロー紙幣を前記収納カセット部に貯留させる制御手段と、を備えることを特徴とする紙幣処理機。
【請求項２】
前記制御手段は、入金確定時には、前記複数の一時貯留領域部に貯留した紙幣を底部を開状態として前記複数の収納領域部に収納させると共に、前記収納カセット部のオーバーフロー紙幣を、前記識別部の識別結果に基づいて振り分けて、前記複数の一時貯留領域部を介して前記複数の収納領域部に収納させることを特徴とする請求項１記載の紙幣処理機。
【請求項３】
前記収納カセット部は、
紙幣を繰り出し可能に一時貯留する、底部が開閉可能な一括一時貯留領域部と、
前記一括一時貯留領域部の下側に設けられ、底部が開状態とされた前記一括一時貯留領域部から紙幣を受け入れて繰り出し可能に収納する一括収納領域部と、を有し、
前記制御手段は、入金確定時には、前記複数の一時貯留領域部に貯留した紙幣を底部を開状態として前記複数の収納領域部に収納させると共に、前記収納カセット部のオーバーフロー紙幣を、前記一括一時貯留領域部から底部を開状態として前記一括収納領域部に収納させることを特徴とする請求項１記載の紙幣処理機。
【請求項４】
前記収納カセット部は、
紙幣を繰り出し可能に一時貯留する、底部が開閉可能な一括一時貯留領域部と、
前記一括一時貯留領域部の下側に設けられ、底部が開状態とされた前記一括一時貯留領域部から紙幣を受け入れて繰り出し可能に収納する一括収納領域部と、を有し、
前記制御手段は、入金確定時に、前記複数の一時貯留領域部に貯留した紙幣を底部を開状態として前記複数の収納領域部に収納させると共に、前記収納カセット部のオーバーフロー紙幣を、前記識別部の識別結果に基づいて振り分けて、前記複数の一時貯留領域部を介して前記複数の収納領域部に収納させる一連の動作の最中に、次の入金取引の指示がなされたときには、該一連の動作を中断し、前記収納カセット部の前記一括一時貯留領域部に残ったオーバーフロー紙幣を前記一括収納領域部に一旦収納させることを特徴とする請求項１記載の紙幣処理機。
【請求項５】
前記収納カセット部は、機体から取り外し可能であって回収処理時に前記複数の収納領域部から繰り出された紙幣を収納すると共に、補充用の紙幣が機外で装填される収納カセット部であることを特徴とする請求項１乃至４のいずれか一項記載の紙幣処理機。
【発明の詳細な説明】
【技術分野】
【０００１】
本発明は、紙幣処理機に関する。
【背景技術】
【０００２】
取引口から機内へ繰り出され識別部で正常と識別された紙幣を金種混合で一時貯留するとともに一時貯留している紙幣を一枚ずつ分離して繰り出す一時貯留部と、紙幣を金種別に収納するとともに収納している紙幣を一枚ずつ分離して繰り出す金種別環流部とを有し、入金処理時は、受け入れ可能な紙幣を金種混合で一旦一時貯留部へ貯留した後、操作者による入金確定の指示入力が操作部を介して成されると、一時貯留部内の紙幣を繰り出し、金種別環流部へ分配して収納する紙幣処理装置が知られている（例えば、特許文献１参照）。
【先行技術文献】
【特許文献】
【０００３】
【特許文献１】特許第５８６６１７１号公報
【発明の概要】
【発明が解決しようとする課題】
【０００４】
しかしながら、上記装置では、入金計数された紙幣を一括して金種混合の一時貯留部に一時貯留し、操作者による入金確定入力が成された後に、金種別の収納部へ分配する収納処理を行うため、一時貯留部に一時貯留した紙幣量が多いと、金種別の収納部へ分配する収納処理に時間が掛かってしまうという問題があった。また、入金部からの繰り出しと、すべての一時貯留紙幣の一時貯留部からの繰り出しとが必要となり、搬送ジャムが発生する可能性が高まるという問題があった。
【０００５】
本発明は、入金確定時の収納処理の処理時間を短縮可能であって、ジャムの発生を抑制することが可能となる紙幣処理機を提供することを目的とする。
【課題を解決するための手段】
【０００６】
上記目的を達成するために、本発明に係る第１の態様は、機外から紙幣が投入される入金部と、該入金部から繰り出された紙幣を識別する識別部と、紙幣を繰り出し可能に一時貯留する、底部が開閉可能な複数の一時貯留領域部と、前記一時貯留領域部の下側に設けられ、底部が開状態とされた前記一時貯留領域部から紙幣を受け入れて繰り出し可能に収納する複数の収納領域部と、紙幣を機外に取り出し可能とする取出部と、紙幣を収納可能であって収納している紙幣を繰り出し可能な収納カセット部と、入金処理時に、前記入金部に投入された紙幣を前記識別部の識別結果に基づいて前記複数の一時貯留領域部に貯留させると共に、前記複数の一時貯留領域部の少なくともいずれか一つが所定の貯留状態になったとき、当該所定の貯留状態の一時貯留領域部に貯留できないオーバーフロー紙幣を前記収納カセット部に貯留させる制御手段と、を備えることを特徴とする。
【０００７】
上記第１の態様によれば、制御手段は、入金処理時に、入金部に投入された紙幣を識別部の識別結果に基づいて複数の一時貯留領域部に貯留させると共に、複数の一時貯留領域部の少なくともいずれか一つが所定の貯留状態になったとき、当該所定の貯留状態の一時貯留領域部に貯留できないオーバーフロー紙幣を収納カセット部に一時貯留させる。このように紙幣を入金確定前に複数に分けて一時貯留領域部に一時貯留するため、金種混合で一時貯留した紙幣を入金確定後に分配する場合と比べて、入金確定時の収納処理の処理時間を短縮可能であり、ジャムの発生を抑制することが可能となる。
【０００８】
本発明に係る第２の態様は、上記第１の態様において、前記制御手段は、入金確定時には、前記複数の一時貯留領域部に貯留した紙幣を底部を開状態として前記複数の収納領域部に収納させると共に、前記収納カセット部のオーバーフロー紙幣を、前記識別部の識別結果に基づいて振り分けて、前記複数の一時貯留領域部を介して前記複数の収納領域部に収納させることを特徴とする。
【０００９】
上記第２の態様によれば、制御手段は、入金確定時に収納カセット部にオーバーフロー紙幣がある場合には、このオーバーフロー紙幣を、識別部の識別結果に基づいて振り分けて、複数の一時貯留領域部を介して複数の収納領域部に収納させるため、入金処理時に一時貯留領域部に貯留できなかったオーバーフロー紙幣についても、複数の収納領域部に収納することができる。
【００１０】
本発明に係る第３の態様は、上記第１の態様において、前記収納カセット部は、紙幣を繰り出し可能に一時貯留する、底部が開閉可能な一括一時貯留領域部と、前記一括一時貯留領域部の下側に設けられ、底部が開状態とされた前記一括一時貯留領域部から紙幣を受け入れて繰り出し可能に収納する一括収納領域部と、を有し、前記制御手段は、入金確定時には、前記複数の一時貯留領域部に貯留した紙幣を底部を開状態として前記複数の収納領域部に収納させると共に、前記収納カセット部のオーバーフロー紙幣を、前記一括一時貯留領域部から底部を開状態として前記一括収納領域部に収納させることを特徴とする。
【００１１】
上記第３の態様によれば、制御手段は、入金確定時に、収納カセット部の一括一時貯留領域部にオーバーフロー紙幣がある場合には、このオーバーフロー紙幣を、一括一時貯留領域部から底部を開状態として一括収納領域部に収納させるため、入金確定時の収納処理の処理時間をさらに短縮可能となる。
【００１２】
本発明に係る第４の態様は、上記第１の態様において、前記収納カセット部は、紙幣を繰り出し可能に一時貯留する、底部が開閉可能な一括一時貯留領域部と、前記一括一時貯留領域部の下側に設けられ、底部が開状態とされた前記一括一時貯留領域部から紙幣を受け入れて繰り出し可能に収納する一括収納領域部と、を有し、前記制御手段は、入金確定時に、前記複数の一時貯留領域部に貯留した紙幣を底部を開状態として前記複数の収納領域部に収納させると共に、前記収納カセット部のオーバーフロー紙幣を、前記識別部の識別結果に基づいて振り分けて、前記複数の一時貯留領域部を介して前記複数の収納領域部に収納させる一連の動作の最中に、次の入金取引の指示がなされたときには、該一連の動作を中断し、前記収納カセット部の前記一括一時貯留領域部に残ったオーバーフロー紙幣を前記一括収納領域部に一旦収納させることを特徴とする。
【００１３】
上記第４の態様によれば、制御手段は、入金確定時に、複数の一時貯留領域部に貯留した紙幣を底部を開状態として複数の収納領域部に収納させると共に、収納カセット部のオーバーフロー紙幣を、識別部の識別結果に基づいて振り分けて、複数の一時貯留領域部を介して複数の収納領域部に収納させる一連の動作の最中に、次の入金取引の指示がなされたときには、該一連の動作を中断し、収納カセット部の一括一時貯留領域部に残ったオーバーフロー紙幣を一括収納領域部に一旦収納させるため、次の入金取引の開始を早めることができる。
【００１４】
本発明に係る第５の態様は、上記第１乃至第４のいずれか一態様において、前記収納カセット部は、機体から取り外し可能であって回収処理時に前記複数の収納領域部から繰り出された紙幣を収納すると共に、補充用の紙幣が機外で装填される収納カセット部であることを特徴とする。
【００１５】
上記第５の態様によれば、機体から取り外し可能であって回収処理時に複数の収納領域部の紙幣を収納すると共に補充用の紙幣が機外で装填される収納カセット部を、オーバーフロー紙幣用の収納カセット部として使用するため、オーバーフロー紙幣専用の収納カセット部を設ける必要がなく、小型化および低コスト化が図れる。また、多くのオーバーフロー紙幣を一時貯留することができる。
【発明の効果】
【００１６】
本発明によれば、入金確定時の収納処理の処理時間を短縮可能であって、ジャムの発生を抑制することが可能となる紙幣処理機を提供することができる。
【図面の簡単な説明】
【００１７】
【図１】本発明に係る第１実施形態の紙幣処理機を概略的に示す側断面図である。
【図２】本発明に係る第１実施形態の紙幣処理機を概略的に示す側断面図であって、入金処理の紙幣搬送ルートを太線で示すものである。
【図３】本発明に係る第１実施形態の紙幣処理機を概略的に示す側断面図であって、第１収納処理の紙幣搬送ルートを太線で示すものである。
【図４】本発明に係る第１実施形態の紙幣処理機を概略的に示す側断面図であって、第２収納処理の紙幣搬送ルートを太線で示すものである。
【図５】本発明に係る第１実施形態の紙幣処理機を概略的に示す側断面図であって、返却処理の紙幣搬送ルートを太線で示すものである。
【図６】本発明に係る第１実施形態の紙幣処理機を概略的に示す側断面図であって、バラ紙幣出金処理の紙幣搬送ルートを太線で示すものである。
【図７】本発明に係る第１実施形態の紙幣処理機を概略的に示す側断面図であって、束紙幣出金処理の紙幣搬送ルートを太線で示すものである。
【図８】本発明に係る第１実施形態の紙幣処理機を概略的に示す側断面図であって、ローカル整理処理の紙幣搬送ルートを太線で示すものである。
【図９】本発明に係る第１実施形態の紙幣処理機を概略的に示す側断面図であって、回収処理の紙幣搬送ルートを太線で示すものである。
【図１０】本発明に係る第１実施形態の紙幣処理機を概略的に示す側断面図であって、別の入金処理の往路ルートを太線で示すものである。
【図１１】本発明に係る第１実施形態の紙幣処理機を概略的に示す側断面図であって、別の入金処理の復路ルートを太線で示すものである。
【図１２】本発明に係る第２実施形態の紙幣処理機を概略的に示す側断面図であって、ローカル整理処理のダイレクトルートを太線で示すものである。
【図１３】本発明に係る第２実施形態の紙幣処理機を概略的に示す側断面図であって、ローカル整理処理のプール経由ルートの往路ルートを太線で示すものである。
【図１４】本発明に係る第２実施形態の紙幣処理機を概略的に示す側断面図であって、ローカル整理処理のプール経由ルートの復路ルートを太線で示すものである。
【図１５】本発明に係る第３実施形態の紙幣処理機を概略的に示す側断面図であって、バラ紙幣出金処理の紙幣搬送ルートを太線で示すものである。
【図１６】本発明に係る第３実施形態の紙幣処理機を概略的に示す側断面図であって、バラ紙幣出金処理のループ状の紙幣搬送ルートを太線で示すものである。
【図１７】本発明に係る実施形態の紙幣処理機の変形例５のオーバーフロー紙幣が単一金種の場合のオーバーフロー紙幣の収納ルートを太線で示すものである。
【図１８】本発明に係る実施形態の紙幣処理機の変形例６のオーバーフロー紙幣およびリジェクト紙幣の入金処理の往路ルートを太線で示すものである。
【図１９】本発明に係る実施形態の紙幣処理機の変形例６のオーバーフロー紙幣が複数金種の場合のオーバーフロー紙幣の収納ルートを太線で示すものである。
【図２０】本発明に係る実施形態の紙幣処理機の変形例６のオーバーフロー紙幣が単一金種の場合のオーバーフロー紙幣の収納ルートを太線で示すものである。
【図２１】本発明に係る実施形態の紙幣処理機の変形例６のオーバーフロー紙幣が複数金種の場合のオーバーフロー紙幣の収納処理の往路ルートを太線で示すものである。
【発明を実施するための形態】
【００１８】
＜第１実施形態＞
本発明に係る第１実施形態の紙幣処理機を図１〜図１１を参照して以下に説明する。実施形態の紙幣処理機１１は、紙幣についての入出金処理等を行うものである。以下では、バラ紙幣を単に紙幣と称し、紙幣を所定の結束単位枚数（１００枚）で結束した紙幣を束紙幣と称す。
【００１９】
図１に示すように、第１実施形態の紙幣処理機１１は、その機体１０の前面側の上部に入金部２０、出金返却部２１（取出部）および出金リジェクト庫２２が設けられている。出金返却部２１は入金部２０の上側に、出金リジェクト庫２２は出金返却部２１の上側に、それぞれ設けられている。
【００２０】
入金部２０は、開閉可能な図示略のシャッタを有しており、シャッタが開状態とされて機外から紙幣が投入され、その後、シャッタが閉じられて紙幣を機内に繰り出す。入金部２０には、機体前面側から見て紙幣が左右方向に長手方向を沿わせた姿勢で下から上に集積されて載置されることになり、入金部２０には、下部に、入金部２０上に集積された紙幣を下端のものから一枚ずつ分離し所定の間隔をあけて機内へ繰り出す入金繰出部２４が設けられている。紙幣は、紙幣処理機１１内で、基本的にその短手方向を搬送方向に沿わせた姿勢で搬送される。
【００２１】
入金部２０から紙幣を繰り出す入金繰出部２４は、入金部２０に集積された紙幣のうちの最も下側の紙幣の短手方向の中間部に当接して、これを機内側に蹴り出す蹴出ローラ２４ａと、蹴出ローラ２４ａで蹴り出された紙幣を機内に繰り出す繰出ローラ２４ｂと、繰出ローラ２４ｂで機内に繰り出す紙幣を一枚ずつに分離する分離ローラ２４ｃとを有している。入金繰出部２４の直後位置には、入金繰出部２４から繰り出された紙幣に、複数枚重なった状態の重送、搬送方向に対し斜めの姿勢となる斜行、あるいは隣り合う紙幣同士の搬送間隔が狭いニアフィード等の搬送異常があるか否かと、半券等の形状異常があるか否かとを光学的に検出する入口センサ２５が設けられている。
【００２２】
出金返却部２１は、開閉可能な図示略のシャッタを有しており、シャッタが閉状態とされて機内から出金用の紙幣が繰り出され、その後、シャッタが開かれることで紙幣が機外に取り出される。言い換えれば、出金返却部２１は、紙幣を機外に取り出し可能とする。出金返却部２１には、入金処理時等にリジェクトされる紙幣も繰り出される。出金返却部２１は、機内から繰り出された紙幣が、機体前面側から見て左右方向に長手方向を沿わせた姿勢で下から上に集積されて載置されることになる。
【００２３】
出金リジェクト庫２２は、紙幣処理機１１の機体１０から着脱可能となっている。出金リジェクト庫２２は、機内から繰り出された紙幣が、機体前面側から見て左右方向に長手方向を沿わせた姿勢で下から上に集積されて載置される。出金リジェクト庫２２は、内部に紙幣を収納した状態のまま、機体１０から取り外される。
【００２４】
紙幣処理機１１の後部には、入金部２０から繰り出された紙幣の真偽と、真紙幣の金種と、重送、斜行あるいはニアフィード等の搬送異常の有無等を識別する識別部３１が設けられている。識別部３１は、紙幣の表裏、上下（天地）および左右等も識別する。
【００２５】
入金部２０、出金返却部２１および出金リジェクト庫２２の後方には、紙幣を整列させて所定の結束単位枚数ずつ集積させる複数、具体的には２カ所の整列部３５，３６が設けられている。また、この整列部３５，３６の後方には、整列部３５，３６で集積された結束単位枚数の紙幣を上方に搬送する昇降搬送部３７が設けられている。また、整列部３５，３６の上方には、整列部３５，３６で集積され昇降搬送部３７で搬送されてきた結束単位枚数の紙幣に結束テープを巻き回して束紙幣とする結束部３８が設けられている。この結束部３８の前側には結束部３８で作成された束紙幣を機外に取り出し可能に繰り出す束出金部３９が設けられている。束出金部３９も開閉可能な図示略のシャッタを有しており、シャッタが閉状態とされて機内から束紙幣が繰り出され、その後、シャッタが開かれることで束紙幣が機外に取り出される。
【００２６】
紙幣処理機１１の下部には、複数具体的には４個の同様の構造の一時貯留収納庫４１（収納部）が、上下左右の位置を合わせて前後に配置されている。これら一時貯留収納庫４１は、紙幣を収納可能であって収納している紙幣を繰り出し可能な収納カセット部であり、機体１０から取り外し可能となっている。
【００２７】
紙幣処理機１１において、最も奥側に配置された一時貯留収納庫４１（Ａ）、奥から２番目に配置された一時貯留収納庫４１（Ｂ）、奥から３番目に配置された一時貯留収納庫４１（Ｃ）および奥から４番目に配置された一時貯留収納庫４１（Ｄ）は、いずれも所定の単一金種の紙幣を下から上に集積させた状態で入金確定前に一時貯留すると共に、入金確定後に繰り出し可能となるように収納するものである。
【００２８】
一時貯留収納庫４１（Ａ）は、所定の単一の第１金種の紙幣（例えば万円券）を、一時貯留収納庫４１（Ｂ）は、所定の単一の第２金種の紙幣（例えば五千円券）を、一時貯留収納庫４１（Ｃ）は、所定の単一の第３金種の紙幣（例えば千円券）を、一時貯留収納庫４１（Ｄ）は、所定の単一の第４金種の紙幣（例えば二千円券）を、それぞれ繰り出し可能に収納する。すなわち、紙幣処理機１１は、単一金種用の一時貯留収納庫４１を複数個、金種別に有している。なお、一時貯留収納庫４１は、複数個あれば良く、収納パターンは、それぞれが単一金種の紙幣を収納するパターンに限らない。複数の一時貯留収納庫４１のそれぞれについて、収納パターンを、単一金種の紙幣を収納する一時貯留収納庫４１と、所定の複数金種の紙幣を混合で収納する一時貯留収納庫４１と、全金種の紙幣を混合で収納する一時貯留収納庫４１との中から、適宜選択して設定することができる。
【００２９】
一時貯留収納庫４１（Ａ）〜４１（Ｄ）のそれぞれの上部には、それぞれの内部に紙幣を取り込んで下から上に集積させるとともに内部の紙幣を最上のものから一枚ずつ分離して所定の間隔をあけて繰り出す取込繰出部４２が設けられている。一時貯留収納庫４１（Ａ）〜４１（Ｄ）のそれぞれには、紙幣を収容する内部空間を上下に仕切る昇降可能かつ開閉可能なフラッパ４３（底部）と、内部空間内を昇降するエレベータ４４とが設けられている。
【００３０】
取込繰出部４２は、フラッパ４３上あるいはエレベータ４４上に集積された紙幣のうちの最上位置の紙幣の短手方向の中間部に当接して、これを一時貯留収納庫４１外に向け蹴り出す蹴出ローラ４２ａと、蹴出ローラ４２ａで蹴り出された紙幣を一時貯留収納庫４１外に繰り出す繰出ローラ４２ｂと、繰出ローラ４２ｂで一時貯留収納庫４１外に繰り出す紙幣を一枚ずつに分離する分離ローラ４２ｃとを有している。繰出ローラ４２ｂは、この繰り出し時とは逆向きに回転することで、連れ回りする分離ローラ４２ｃとで紙幣を挟持して一時貯留収納庫４１内に取り込む。
【００３１】
フラッパ４３は、水平に配置された一対の昇降支軸４３ａと、一対の板状のフラッパ本体４３ｂとを有している。一方のフラッパ本体４３ｂは一方の昇降支軸４３ａに支持されており、この昇降支軸４３ａを中心に回転可能となっている。他方のフラッパ本体４３ｂは他方の昇降支軸４３ａに支持されており、この昇降支軸４３ａを中心に回転可能となっている。フラッパ４３は、閉状態にあるとき、一方のフラッパ本体４３ｂが一方の昇降支軸４３ａから他方の昇降支軸４３ａに向けて水平に延出し、他方のフラッパ本体４３ｂが他方の昇降支軸４３ａから一方の昇降支軸４３ａに向けて水平に延出する。
【００３２】
フラッパ４３は、開状態にあるとき、一方のフラッパ本体４３ｂが閉状態に対して９０度回転して一方の昇降支軸４３ａから鉛直下方に延出することになり、他方のフラッパ本体４３ｂが閉状態に対して９０度回転して他方の昇降支軸４３ａから鉛直下方に延出することになる。フラッパ４３は、一対の昇降支軸４３ａが常に高さを合わせて昇降することになり、一対のフラッパ本体４３ｂは同期して開作動し、同期して閉作動する。一時貯留収納庫４１（Ａ）〜４１（Ｄ）のそれぞれのフラッパ４３は、個別の駆動機構で駆動されることになり、単独で昇降および開閉が制御される。
【００３３】
フラッパ４３は、閉状態にあるとき、これが設けられた一時貯留収納庫４１を、フラッパ４３を含むフラッパ４３から上側の一時貯留領域部４７と、フラッパ４３より下側の収納領域部４８とに区画する。言い換えれば、一時貯留収納庫４１は、フラッパ４３によって、上部領域の一時貯留エリアと、下部領域の収納エリアとに上下に分割される。さらに言い換えれば、一時貯留収納庫４１は、フラッパ４３によって、一時貯留エリアである一時貯留領域部４７と、その直下の収納エリアである収納領域部４８とが、区分されている。
【００３４】
フラッパ４３は、閉状態にあるとき、一時貯留領域部４７の底部を構成することになり、取込繰出部４２から繰り出された紙幣を載置させ、下から上へと集積させる。その際に、フラッパ４３は、取込繰出部４２から繰り出された紙幣の量に応じて下降する。また、フラッパ４３は、載置させた紙幣の最上位置の紙幣を、上昇して取込繰出部４２の蹴出ローラ４２ａに当接させる。この状態で、取込繰出部４２が紙幣を一枚ずつ分離して一時貯留領域部４７から繰り出す。その際に、フラッパ４３は、取込繰出部４２から繰り出された紙幣の量に応じて上昇する。
【００３５】
フラッパ４３は、一時貯留領域部４７に一時貯留した紙幣を、開状態となることで、この一時貯留領域部４７と同じ一時貯留収納庫４１に設けられた直下の収納領域部４８のエレベータ４４あるいはエレベータ４４上に載置されている紙幣に、載置させる。すなわち、一時貯留収納庫４１（Ａ）のフラッパ４３が開状態になると、一時貯留収納庫４１（Ａ）の一時貯留領域部４７に一時貯留した紙幣を、一時貯留収納庫４１（Ａ）の収納領域部４８に収納する。一時貯留収納庫４１（Ｂ）のフラッパ４３が開状態になると、一時貯留収納庫４１（Ｂ）の一時貯留領域部４７に一時貯留した紙幣を、一時貯留収納庫４１（Ｂ）の収納領域部４８に収納する。一時貯留収納庫４１（Ｃ）のフラッパ４３が開状態になると、一時貯留収納庫４１（Ｃ）の一時貯留領域部４７に一時貯留した紙幣を、一時貯留収納庫４１（Ｃ）の収納領域部４８に収納する。一時貯留収納庫４１（Ｄ）のフラッパ４３が開状態になると、一時貯留収納庫４１（Ｄ）の一時貯留領域部４７に一時貯留した紙幣を、一時貯留収納庫４１（Ｄ）の収納領域部４８に収納する。
【００３６】
フラッパ４３が開状態にあるとき、このフラッパ４３が設けられた一時貯留収納庫４１の一時貯留領域部４７と収納領域部４８とが連続する状態になる。この状態で、収納領域部４８のエレベータ４４が上昇すると、このエレベータ４４は、載置させた紙幣のうちの最上位置の紙幣を取込繰出部４２の蹴出ローラ４２ａに当接させる。この状態で、取込繰出部４２が紙幣を一枚ずつ分離して収納領域部４８から繰り出す。その際に、エレベータ４４は、取込繰出部４２から繰り出された紙幣の量に応じて上昇する。一時貯留収納庫４１（Ａ）〜４１（Ｄ）のそれぞれのエレベータ４４は、個別の駆動機構で駆動されることになり、単独で昇降および開閉が制御される。
【００３７】
以上により、一時貯留収納庫４１（Ａ）〜４１（Ｄ）は、複数の金種別の一時貯留領域部４７を有している。金種別の一時貯留領域部４７は、それぞれが単一金種の紙幣を取り込み可能かつ繰り出し可能に一時貯留することになり、それぞれの底部であるフラッパ４３が開閉可能となっている。また、一時貯留収納庫４１（Ａ）〜４１（Ｄ）は、同一金種用の一時貯留領域部４７の直下に設けられ、フラッパ４３が開状態とされた同一金種用の一時貯留領域部４７から紙幣を受け入れて繰り出し可能に収納する収納領域部４８を金種別に複数有している。
【００３８】
紙幣処理機１１の下部には、一時貯留収納庫４１（Ｄ）の前側に、機体１０から取り外し可能であって回収処理時に金種別の収納領域部４８から繰り出された紙幣を取り込んで収納すると共に、補充処理時に補充用の紙幣が機外で装填され、装填された紙幣を繰り出す一括一時貯留部としての収納カセット部５１が設けられている。収納カセット部５１は、紙幣を収納可能であって収納している紙幣を繰り出し可能となっている。収納カセット部５１は金種別の一時貯留収納庫４１（Ａ）〜４１（Ｄ）と上下左右の位置を合わせて前後に並んでいる。
【００３９】
収納カセット部５１は、紙幣を取り込み可能かつ繰り出し可能に収納するものであり、その上部には、内部に紙幣を取り込むとともに内部の紙幣を最上位置のものから一枚ずつ分離して所定の間隔をあけて繰り出す取込繰出部５２が設けられている。収納カセット部５１には、内部空間内を昇降するエレベータ５３が設けられている。ここで、収納カセット部５１には、一時貯留収納庫４１（Ａ）〜４１（Ｄ）のような内部空間を上下に仕切るフラッパは設けられていない。
【００４０】
取込繰出部５２は、エレベータ５３上に集積された紙幣のうちの最上位置の紙幣の短手方向の中間部に当接して、これを収納カセット部５１外に向けて蹴り出す蹴出ローラ５２ａと、蹴出ローラ５２ａで蹴り出された紙幣を収納カセット部５１外に繰り出す繰出ローラ５２ｂと、繰出ローラ５２ｂで収納カセット部５１外に繰り出す紙幣を一枚ずつに分離する分離ローラ５２ｃとを有している。繰出ローラ５２ｂは、この繰り出し時とは逆向きに回転することで、連れ回りする分離ローラ５２ｃとで紙幣を挟持して収納カセット部５１内に取り込む。
【００４１】
収納カセット部５１の紙幣を取込繰出部５２が収納カセット部５１外に繰り出す際に、エレベータ５３は、載置させた紙幣のうちの最上位置の紙幣を取込繰出部５２の蹴出ローラ５２ａに当接させる。この状態で、取込繰出部５２が紙幣を一枚ずつ分離して繰り出す。その際に、エレベータ５３は、取込繰出部５２から繰り出された紙幣の量に応じて上昇する。また、取込繰出部５２が収納カセット部５１内に紙幣を繰り出す際に、繰出ローラ５２ｂは、上記とは逆に回転することで、エレベータ５３上に紙幣を繰り出す。その際に、エレベータ５３は、取込繰出部５２から繰り出された紙幣の量に応じて下降する。
【００４２】
紙幣処理機１１の内部には、入金部２０から入金繰出部２４で繰り出された紙幣を含んで紙幣を搬送する搬送部６１が各部を適宜繋ぐように設けられている。搬送部６１は、紙幣を、基本的にその短手方向を搬送方向に沿わせた姿勢で移動させる。
【００４３】
搬送部６１は、機体１０の前部に設けられた入金部２０の紙幣を機体１０の後部に設けられた識別部３１に向けて搬送し、さらに、機体１０の前部に設けられた収納カセット部５１に向けて搬送する搬送路６１Ａを有している。搬送路６１Ａは、入金部２０の入金繰出部２４から後方に、後述する搬送路６１Ｊと搬送路６１Ｍとの間まで延出した後、下方に延出し、その後、後方に延出して識別部３１を通り、下側にて前向きに折り返して前方に延出して紙幣処理機１１の前端から下方に延出して収納カセット部５１の取込繰出部５２に繋がる。
【００４４】
また、搬送部６１は、搬送路６１Ａにおける収納カセット部５１への接続位置と識別部３１との間から下方に分岐して一時貯留収納庫４１（Ａ）の取込繰出部４２に繋がる搬送路６１Ｃと、搬送路６１Ａにおける収納カセット部５１への接続位置と搬送路６１Ｃの分岐位置との間から下方に分岐して一時貯留収納庫４１（Ｂ）の取込繰出部４２に繋がる搬送路６１Ｄと、搬送路６１Ａにおける収納カセット部５１への接続位置と搬送路６１Ｄの分岐位置との間から下方に分岐して一時貯留収納庫４１（Ｃ）の取込繰出部４２に繋がる搬送路６１Ｅと、搬送路６１Ａにおける収納カセット部５１への接続位置と搬送路６１Ｅの分岐位置との間から下方に分岐して一時貯留収納庫４１（Ｄ）の取込繰出部４２に繋がる搬送路６１Ｆとを有している。
【００４５】
また、搬送部６１は、搬送路６１Ａにおける最も収納カセット部５１側から上方に分岐した後に後方に延出して搬送路６１Ａの入金部２０から識別部３１に向かいつつ下方に延出する部分の下部に繋がる搬送路６１Ｇと、搬送路６１Ａの搬送路６１Ｆの分岐位置と搬送路６１Ｇの分岐位置との間位置から上方に分岐して搬送路６１Ｇの途中位置に繋がる搬送路６１Ｈと、搬送路６１Ｇにおける搬送路６１Ｈの接続位置と搬送路６１Ａへの接続位置との間位置から上方に分岐して搬送路６１Ａにおける搬送路６１Ｇの接続位置と入口センサ２５との間に繋がる搬送路６１Ｊとを有している。
【００４６】
また、搬送部６１は、搬送路６１Ａにおける搬送路６１Ｇの接続位置と搬送路６１Ｊの接続位置との間から後方に分岐した後、上方に延出し、その後、前方に延出して出金返却部２１に繋がる搬送路６１Ｋと、搬送路６１Ｋの上部の途中位置から分岐して出金リジェクト庫２２に繋がる搬送路６１Ｌとを有している。
【００４７】
また、搬送部６１は、搬送路６１Ａにおける搬送路６１Ｇの接続位置と識別部３１との間から上方に分岐して搬送路６１Ｋにおける搬送路６１Ａからの分岐位置と搬送路６１Ｌの分岐位置との間に接続される搬送路６１Ｍと、搬送路６１Ａにおける搬送路６１Ｍの分岐位置と識別部３１との間から分岐して搬送路６１Ｍの中間位置に繋がる搬送路６１Ｎとを有している。搬送路６１Ｎには、紙幣の表裏を反転させる表裏反転部６３が設けられている。
【００４８】
また、搬送部６１は、搬送路６１Ｋにおける搬送路６１Ｌの分岐位置と搬送路６１Ｍの合流位置との間から後方に分岐して整列部３５に繋がる搬送路６１Ｐと、搬送路６１Ｋにおける搬送路６１Ｐの分岐位置と搬送路６１Ｍの合流位置との間から後方に分岐して整列部３６に繋がる搬送路６１Ｑとを有している。
【００４９】
識別部３１は、搬送部６１によって搬送される紙幣を識別することになり、一時貯留収納庫４１（Ａ）〜４１（Ｄ）および収納カセット部５１は、識別部３１によって識別した紙幣を繰り出し可能に収納する。
【００５０】
紙幣処理機１１は、操作者によって操作入力がなされるとともに操作者に対して表示を行う操作表示部７０と、紙幣処理機１１の全体を制御する制御部７１（制御手段）とを有している。
【００５１】
次に、第１実施形態の紙幣処理機１１の各処理について説明する。
【００５２】
待機状態にあるとき、一時貯留収納庫４１（Ａ）〜４１（Ｄ）は、すべてが一時貯留領域部４７を空の状態としており、収納領域部４８に適宜の紙幣を収納している。また、待機状態にあるとき、フラッパ４３は、閉状態で紙幣を受け入れ可能な上部の所定の待機位置に位置しており、エレベータ４４は最下の待機位置に位置している。また、待機状態にあるとき、収納カセット部５１は空の状態であり、収納カセット部５１のエレベータ５３は紙幣を受け入れ可能な上部の所定の待機位置に位置している。
【００５３】
［入金処理］
図２の太線は、機外から入金部２０に投入された紙幣を搬送しつつ識別および計数して一時貯留する入金処理の紙幣搬送ルートを示している。つまり、操作表示部７０に入金処理の選択操作がなされると、制御部７１は、入金処理を開始して入金繰出部２４、搬送部６１、一時貯留収納庫４１（Ａ）〜４１（Ｄ）の各取込繰出部４２および収納カセット部５１の取込繰出部５２を駆動する。すると、入金繰出部２４は、入金部２０に投入された紙幣を最下のものから順に、蹴出ローラ２４ａで蹴り出し繰出ローラ２４ｂおよび分離ローラ２４ｃで一枚ずつに分離しつつ所定の間隔をあけて繰り出すことになり、繰り出した紙幣を、搬送路６１Ａが搬送することになる。入金繰出部２４から繰り出された紙幣は、繰り出し直後に入口センサ２５で、搬送異常の有無と形状異常の有無とが検出される。
【００５４】
制御部７１は、入口センサ２５で搬送異常あるいは形状異常があることが検出された異常紙幣については、図２に太実線から太一点鎖線に示すように、搬送路６１Ａの入金部２０側の端部と搬送路６１Ｍ，６１Ｋとで出金返却部２１に搬送する。すなわち、入口センサ２５で搬送異常あるいは形状異常があることが検出された異常紙幣については、入金部２０から識別部３１に向かう搬送路６１Ａから分岐し、分岐後はこの搬送路６１Ａに交わることがない搬送路６１Ｍ，６１Ｋで、識別部３１に搬送することなく出金返却部２１に搬送する。他方、入口センサ２５で搬送異常および形状異常のいずれも検出されなかった紙幣については、図２に太実線で示すように、搬送路６１Ａで識別部３１に搬送する。そして、この搬送中に識別部３１が紙幣を識別および計数することになり、制御部７１は、識別部３１で受け入れ可能と識別した紙幣、すなわち取り扱い可能な金種の真券で正常搬送の正常紙幣を、図２に太実線で示すように、搬送路６１Ｃ，６１Ｄ，６１Ｅ，６１Ｆで金種別に振り分ける。
【００５５】
これにより、金種別の一時貯留収納庫４１（Ａ）〜４１（Ｄ）が、それぞれ取込繰出部４２によって、一時貯留領域部４７の閉状態で待機位置にあるフラッパ４３上に紙幣を集積させることになる。すなわち、制御部７１は、受け入れ可能と識別した紙幣のうち、第１金種の紙幣（例えば万円券）を一時貯留収納庫４１（Ａ）の一時貯留領域部４７に、第２金種の紙幣（例えば五千円券）を一時貯留収納庫４１（Ｂ）の一時貯留領域部４７に、第３金種の紙幣（例えば千円券）を一時貯留収納庫４１（Ｃ）の一時貯留領域部４７に、第４金種の紙幣（例えば二千円券）を一時貯留収納庫４１（Ｄ）の一時貯留領域部４７に、それぞれ一時貯留させる。
【００５６】
ここで、制御部７１は、一時貯留収納庫４１（Ａ）〜４１（Ｄ）のそれぞれの一時貯留領域部４７の紙幣の貯留量を監視しており、フラッパ４３を閉状態のまま紙幣の貯留量に応じた量下降させることになる。また、制御部７１は、フラッパ４３が開作動可能な開可能最下位置まで下降したか否かを監視しており、フラッパ４３が開可能最下位置まで下降すると、一時貯留領域部４７が、所定の貯留状態である満杯状態になったと判定し、その後のこの一時貯留領域部４７に貯留すべき金種の紙幣を、図２に太実線で示すように、搬送路６１Ａで収納カセット部５１のエレベータ５３上に一時貯留する。制御部７１は、収納カセット部５１の紙幣の貯留量を監視しており、エレベータ５３を貯留量に応じた量下降させることになる。ここで、一時貯留収納庫４１（Ａ）〜４１（Ｄ）のそれぞれのフラッパ４３の開可能最下位置は、フラッパ４３が、フラッパ４３の直下の、エレベータ４４を最下の待機位置に位置させている収納領域部４８に収納されている紙幣に対し、接触しないで開作動可能な位置であり、よって、フラッパ４３より下側の収納領域部４８に収納されている紙幣の量に応じた高さ位置となる。
【００５７】
制御部７１は、例えば、一時貯留収納庫４１（Ａ）の一時貯留領域部４７が満杯状態になったと判定すると、当該満杯状態の一時貯留領域部４７に貯留できないオーバーフロー紙幣である、その後の第１金種の紙幣を収納カセット部５１に一時貯留させる。また、制御部７１は、例えば、一時貯留収納庫４１（Ａ）の一時貯留領域部４７が満杯状態になった後、一時貯留収納庫４１（Ｂ）の一時貯留領域部４７が満杯状態になったと判定すると、当該満杯状態の一時貯留領域部４７に貯留できないオーバーフロー紙幣である、その後の第２金種の紙幣を第１金種の紙幣に加えて収納カセット部５１に一時貯留させる。また、制御部７１は、例えば、一時貯留収納庫４１（Ａ）の一時貯留領域部４７および一時貯留収納庫４１（Ｂ）の一時貯留領域部４７が満杯状態になった後、一時貯留収納庫４１（Ｃ）の一時貯留領域部４７が満杯状態になったと判定すると、当該満杯状態の一時貯留領域部４７に貯留できないオーバーフロー紙幣である、その後の第３金種の紙幣を第１金種および第２金種の紙幣に加えて収納カセット部５１に一時貯留させる。
【００５８】
すなわち、制御部７１は、入金処理時に、入金部２０に投入された紙幣を識別部３１の識別結果に基づいて金種別の一時貯留収納庫４１（Ａ）〜４１（Ｄ）の一時貯留領域部４７に貯留させると共に、金種別の一時貯留収納庫４１（Ａ）〜４１（Ｄ）の一時貯留領域部４７の少なくともいずれか一つが所定の貯留状態である満杯状態になったとき、当該満杯状態の一時貯留領域部４７に貯留できないオーバーフロー紙幣を収納カセット部５１に一時貯留させる。収納カセット部５１は、複数金種のオーバーフロー紙幣がある場合には、これらのオーバーフロー紙幣を一括して金種混合で一時貯留する。収納カセット部５１は、一時貯留収納庫４１（Ａ）〜４１（Ｄ）のそれぞれの一時貯留領域部４７よりも紙幣の収納容量が大きくなっている。実施形態では、所定の貯留状態を、紙幣の貯留量が予め定められた満杯量となる満杯状態とし、満杯量を超える量の紙幣をオーバーフロー紙幣としているが、これに限らない。すなわち、所定の貯留状態は、紙幣の貯留量が予め定められた所定の貯留量となった状態であれば良く、この所定の貯留量を超える量の紙幣がオーバーフロー紙幣となる。例えば、所定の貯留状態を、貯留量が満杯量よりも所定量少ないニアフル量となるニアフル状態とし、このニアフル量を超える量の紙幣をオーバーフロー紙幣としても良い。
【００５９】
他方、制御部７１は、入金部２０から入金繰出部２４で繰り出された紙幣のうち、識別部３１で受け入れ不可と識別した紙幣、すなわち金種識別できない金種識別不良の紙幣と、重送、斜行あるいはニアフィード等の搬送異常の紙幣とをリジェクト紙幣として、図２に太実線、太破線および太一点鎖線で示すように、搬送路６１Ａから搬送路６１Ｈ、搬送路６１Ｇ、搬送路６１Ａ、搬送路６１Ｍおよび搬送路６１Ｋで出金返却部２１に搬送する。
【００６０】
なお、このとき、入金部２０から出て搬送路６１Ａ上を識別部３１に向かう紙幣と、搬送路６１Ｈ，６１Ｇから搬送路６１Ａを通って搬送路６１Ｍに向かう紙幣とが、搬送路６１Ａの一部を共通使用することになるため、この部分で交差する可能性がある。このため、識別部３１で紙幣を受け入れ不可と判定すると、制御部７１は、この紙幣との交差のタイミングを見計らって、入金繰出部２４を停止させて、入金部２０からの紙幣の繰り出しを中断する。すなわち、識別部３１で受け入れ不可と判定されたリジェクト紙幣が、遅くとも搬送路６１Ｇから搬送路６１Ａに入る時点では、搬送路６１Ａの搬送路６１Ｍの分岐位置よりも入金部２０側に紙幣が存在しないように、入金繰出部２４を停止させる。識別部３１で受け入れ不可と判定されたリジェクト紙幣が、その後、搬送路６１Ａから搬送路６１Ｍに入ると、制御部７１は、入金繰出部２４の駆動を再開させる。
【００６１】
以上の入金処理の作動を行うことによって、入金部２０の紙幣がなくなり、入金部２０から繰り出されたすべての紙幣が、一時貯留収納庫４１（Ａ）〜４１（Ｄ）の一時貯留領域部４７、収納カセット部５１および出金返却部２１のいずれかに搬送されると、制御部７１は、出金返却部２１のシャッタを開いて出金返却部２１から紙幣を取り出し可能にするとともに、識別部３１で受け入れ可能と判定して一時貯留収納庫４１（Ａ）〜４１（Ｄ）の一時貯留領域部４７および収納カセット部５１に一時貯留した紙幣の金種別の枚数および総額等を操作表示部７０に表示させる。そして、制御部７１は、操作表示部７０への入金確定操作および入金キャンセル操作の入力を待機する状態となって入金処理を終了する。
【００６２】
［第１収納処理］
入金処理後、操作表示部７０への入金確定操作が入力された入金確定時に、制御部７１は、入金を確定するとともに、入金処理にて一時貯留収納庫４１（Ａ）〜４１（Ｄ）の一時貯留領域部４７に一時貯留した紙幣を、まず、一時貯留収納庫４１（Ａ）〜４１（Ｄ）の収納領域部４８に収納する第１収納処理を行う。図３の太線は、この第１収納処理の紙幣搬送ルートを示している。
【００６３】
第１収納処理において、制御部７１は、一時貯留収納庫４１（Ａ）〜４１（Ｄ）のうち紙幣を一時貯留させているものの一時貯留領域部４７のみについて、フラッパ４３を開可能最下位置に位置させてから、フラッパ４３を開いて、フラッパ４３上にあった紙幣を、収納領域部４８のエレベータ４４あるいはエレベータ４４上の紙幣に受け渡す。すなわち、第１収納処理では、搬送部６１を介さずに一時貯留収納庫４１（Ａ）〜４１（Ｄ）内で一時貯留領域部４７から対応する収納領域部４８に紙幣を収納する。なお、フラッパ４３を開く前に下降させて開可能最下位置に位置させてから開く以外にも、フラッパ４３を停止状態とし、エレベータ５３を、フラッパ４３を開可能な範囲の最上位置まで上昇させてからフラッパ４３を開いても良い。また、フラッパ４３が開可能な範囲でフラッパ４３およびエレベータ５３を両方移動させて近づけてからフラッパ４３を開いても良い。
【００６４】
具体的に、制御部７１は、一時貯留収納庫４１（Ａ）の一時貯留領域部４７に第１金種の紙幣が一時貯留されている場合は、この一時貯留領域部４７の第１金種の紙幣を同一金種用である一時貯留収納庫４１（Ａ）の収納領域部４８に収納させる。また、一時貯留収納庫４１（Ｂ）の一時貯留領域部４７に第２金種の紙幣が一時貯留されている場合は、この一時貯留領域部４７の第２金種の紙幣を同一金種用である一時貯留収納庫４１（Ｂ）の収納領域部４８に収納させる。また、一時貯留収納庫４１（Ｃ）の一時貯留領域部４７に第３金種の紙幣が一時貯留されている場合は、この一時貯留領域部４７の第３金種の紙幣を同一金種用である一時貯留収納庫４１（Ｃ）の収納領域部４８に収納させる。また、一時貯留収納庫４１（Ｄ）の一時貯留領域部４７に第４金種の紙幣が一時貯留されている場合は、この一時貯留領域部４７の第４金種の紙幣を同一金種用である一時貯留収納庫４１（Ｄ）の収納領域部４８に収納させる。
【００６５】
なお、第１収納処理においても、フラッパ４３の開可能最下位置は、フラッパ４３より下側の収納領域部４８に収納されている紙幣の量に応じて設定される。フラッパ４３を開いて、フラッパ４３上の紙幣を、収納領域部４８のエレベータ４４あるいはエレベータ４４上の紙幣に受け渡すと、制御部７１は、入金処理において収納カセット部５１に収納させたオーパーフロー紙幣の有無を判定する。そして、収納カセット部５１にオーパーフロー紙幣がない場合に、制御部７１は、一時貯留領域部４７から収納領域部４８に紙幣を受け渡したフラッパ４３を待機位置に戻し閉状態として収納処理を終了する。すなわち、入金処理において収納カセット部５１に一時貯留したオーバーフロー紙幣がない場合には、収納処理として第１収納処理のみを行う。他方、入金処理において収納カセット部５１に一時貯留した紙幣がある場合には、一時貯留領域部４７から収納領域部４８に紙幣を受け渡したフラッパ４３は開状態のまま後述の第２収納処理を行う。
【００６６】
以上により、制御部７１は、入金確定時には、金種別の一時貯留収納庫４１（Ａ）〜４１（Ｄ）のそれぞれの一時貯留領域部４７のフラッパ４３を開状態として、金種別の一時貯留領域部４７に貯留させた紙幣を、金種別の一時貯留領域部４７のそれぞれの直下の同一金種用の収納領域部４８に収納させる。
【００６７】
ここで、一時貯留収納庫４１（Ａ）〜４１（Ｄ）のうち、複数のものの一時貯留領域部４７に紙幣が一時貯留されている場合、制御部７１は、フラッパ４３が開可能最下位置に位置したものから順にフラッパ４３を開作動させることになるが、これらのフラッパ４３を同時に開作動させるようにしても良い。
【００６８】
なお、第１収納処理において、一時貯留収納庫４１（Ａ）〜４１（Ｄ）のすべての一時貯留領域部４７について、紙幣を一時貯留しているか否かにかかわらず、フラッパ４３を開可能最下位置に位置させてから開いて、フラッパ４３上に紙幣がある場合に、紙幣を、収納領域部４８のエレベータ４４あるいはエレベータ４４上の紙幣に受け渡すように動作させても良い。
【００６９】
［第２収納処理］
図４の太線は、収納カセット部５１に一時貯留したオーバーフロー紙幣を、一時貯留収納庫４１（Ａ）〜４１（Ｄ）のそれぞれの収納領域部４８に分配して収納する第２収納処理の紙幣搬送ルートを示している。第２収納処理では、制御部７１は、収納カセット部５１のエレベータ５３を上昇させてエレベータ５３上の最上位置の紙幣を取込繰出部５２の蹴出ローラ５２ａに当接させる。また、制御部７１は、一時貯留収納庫４１（Ａ）〜４１（Ｄ）のうち、収納カセット部５１に一時貯留した紙幣の収納先となるフラッパ４３が開状態となっているものの、収納領域部４８のエレベータ４４を、収納領域部４８内の紙幣の収納量に応じて、取込繰出部４２から繰り出された紙幣を受け入れ可能な位置まで上昇させる。それと共に、制御部７１は、取込繰出部５２、搬送部６１および一時貯留収納庫４１（Ａ）〜４１（Ｄ）の取込繰出部４２を駆動する。なお、一時貯留収納庫４１（Ａ）〜４１（Ｄ）のすべてについて、オーバーフロー紙幣を収納するか否かにかかわらず、フラッパ４３を開状態として、収納領域部４８のエレベータ４４を、取込繰出部４２から繰り出された紙幣を受け入れ可能な位置まで上昇させるようにしても良い。
【００７０】
すると、収納カセット部５１の紙幣を最上位置のものから蹴出ローラ５２ａが蹴り出し繰出ローラ５２ｂおよび分離ローラ５２ｃで一枚ずつに分離しつつ所定の間隔をあけて繰り出すことになり、繰り出した紙幣を、図４に太実線で示すように、搬送路６１Ａ，６１Ｇ，６１Ａで識別部３１に搬送し、識別部３１が識別する。そして、制御部７１は、識別部３１で正常と識別された正常紙幣を、識別結果に基づいて、搬送路６１Ａ，６１Ｃ〜６１Ｆの対応するものによって、一時貯留収納庫４１（Ａ）〜４１（Ｄ）の対応するものに搬送する。これにより、収納カセット部５１に一時貯留した紙幣のうち、識別部３１で正常と識別された正常紙幣を、一時貯留収納庫４１（Ａ）〜４１（Ｄ）の対応するものの収納領域部４８にフラッパ４３が開状態の一時貯留領域部４７を介して収納する。すなわち、第２収納処理では、収納カセット部５１の紙幣を搬送部６１を介して一時貯留収納庫４１（Ａ）〜４１（Ｄ）の収納領域部４８に収納する。
【００７１】
具体的に、制御部７１は、収納カセット部５１から繰り出された紙幣が第１金種の正常紙幣である場合、この紙幣を一時貯留収納庫４１（Ａ）の収納領域部４８に収納させることになり、収納カセット部５１から繰り出された紙幣が第２金種の正常紙幣である場合、この紙幣を一時貯留収納庫４１（Ｂ）の収納領域部４８に収納させることになる。また、制御部７１は、収納カセット部５１から繰り出された紙幣が第３金種の正常紙幣である場合、この紙幣を一時貯留収納庫４１（Ｃ）の収納領域部４８に収納させることになり、収納カセット部５１から繰り出された紙幣が第４金種の正常紙幣である場合、この紙幣を一時貯留収納庫４１（Ｄ）の収納領域部４８に収納させることになる。このときも、制御部７１は、一時貯留収納庫４１（Ａ）〜４１（Ｄ）のそれぞれの収納領域部４８に搬送される紙幣の量に応じてエレベータ４４を下降させる。
【００７２】
このようにして、収納カセット部５１に一時貯留していたすべての紙幣を、一時貯留収納庫４１（Ａ）〜４１（Ｄ）のいずれかの収納領域部４８あるいは後述するように出金リジェクト庫２２に収納させると、制御部７１は、一時貯留収納庫４１（Ａ）〜４１（Ｄ）のすべての収納領域部４８のエレベータ５３を最下の待機位置まで下降させた後、一時貯留収納庫４１（Ａ）〜４１（Ｄ）のすべてのフラッパ４３を待機位置に戻し閉状態として収納処理を終了する。すなわち、入金処理において収納カセット部５１に一時貯留したオーバーフロー紙幣がある場合には、収納処理として第１収納処理および第２収納処理の両方を行う。
【００７３】
ここで、第２収納処理中に、収納カセット部５１から繰り出された紙幣のうち、識別部３１が、重送、斜行あるいはニアフィード等の搬送異常と識別したり、金種が識別できない金種識別不良と識別したリジェクト紙幣については、図４に太実線および太破線で示すように、搬送路６１Ａ，６１Ｈ，６１Ｇ，６１Ｍ，６１Ｋ，６１Ｌによって出金リジェクト庫２２に搬送し、出金リジェクト庫２２に収納する。
【００７４】
このとき、収納カセット部５１から繰り出されて搬送路６１Ａ，６１Ｇ，６１Ａで識別部３１に向かう紙幣と、搬送路６１Ａ，６１Ｈ，６１Ｇ，６１Ａ，６１Ｍで出金リジェクト庫２２に向かうリジェクト紙幣とが、搬送路６１Ｇ，６１Ａの一部を共通使用することになるため、この部分で交差する可能性がある。よって、識別部３１でリジェクト紙幣を検出すると、制御部７１は、この紙幣との交差のタイミングを見計らって、収納カセット部５１の取込繰出部５２を停止させて、収納カセット部５１からの紙幣の繰り出しを中断する。すなわち、識別部３１で検出したリジェクト紙幣が、遅くとも搬送路６１Ｈから搬送路６１Ｇに入る時点では、搬送路６１Ａ，６１Ｇ，６１Ａの搬送路６１Ｍの分岐位置よりも収納カセット部５１側に紙幣がなくなるように、取込繰出部５２を停止させる。また、識別部３１で検出したリジェクト紙幣が、搬送路６１Ａから搬送路６１Ｍに入ると、取込繰出部５２の駆動を再開させる。
【００７５】
以上のように、入金確定時に収納処理として第１収納処理および第２収納処理の両方を行う場合に、制御部７１は、金種別の一時貯留収納庫４１（Ａ）〜４１（Ｄ）の一時貯留領域部４７に貯留した紙幣をフラッパ４３を開状態として金種別の一時貯留収納庫４１（Ａ）〜４１（Ｄ）の収納領域部４８に収納させると共に、収納カセット部５１のオーバーフロー紙幣を、識別部３１の識別結果に基づいて振り分けて、フラッパ４３が開状態にある金種別の一時貯留収納庫４１（Ａ）〜４１（Ｄ）の一時貯留領域部４７を介して金種別の一時貯留収納庫４１（Ａ）〜４１（Ｄ）の収納領域部４８に収納させる。
【００７６】
［返却処理］
入金処理後、操作表示部７０への入金キャンセル操作が入力された入金キャンセル時に、制御部７１は、入金を確定せず、入金処理にて一時貯留収納庫４１（Ａ）〜４１（Ｄ）の一時貯留領域部４７および収納カセット部５１に一時貯留した紙幣をすべて、出金返却部２１に繰り出す返却処理を行う。図５の太線は、この返却処理の紙幣搬送ルートを示している。
【００７７】
返却処理において、制御部７１は、一時貯留収納庫４１（Ａ）〜４１（Ｄ）のうち一時貯留領域部４７に紙幣を一時貯留しているものについて、フラッパ４３を上昇させて、このフラッパ４３上の紙幣のうち最上位置の紙幣を取込繰出部４２の蹴出ローラ４２ａに当接させる。また、制御部７１は、収納カセット部５１に一時貯留している紙幣がある場合、エレベータ５３を上昇させて、エレベータ５３上の最上位置の紙幣を取込繰出部５２の蹴出ローラ５２ａに当接させる。それと共に、制御部７１は、搬送部６１を駆動し、一時貯留収納庫４１（Ａ）〜４１（Ｄ）の取込繰出部４２および収納カセット部５１の取込繰出部５２のうち、一時貯留している紙幣があるものを適宜の順に駆動する。
【００７８】
例えば、一時貯留収納庫４１（Ａ）の一時貯留領域部４７に一時貯留している紙幣がある場合、一時貯留収納庫４１（Ａ）の取込繰出部４２が、この一時貯留領域部４７の紙幣を最上位置のものから蹴出ローラ４２ａで蹴り出し繰出ローラ４２ｂおよび分離ローラ４２ｃで一枚ずつに分離しつつ所定の間隔をあけて繰り出すことになり、繰り出した紙幣を、図５に太実線で示すように、搬送路６１Ｃ，６１Ａ，６１Ｋで出金返却部２１に搬送する。また、一時貯留収納庫４１（Ｂ）の一時貯留領域部４７に一時貯留している紙幣がある場合、この一時貯留領域部４７の紙幣を同様にして繰り出し、搬送路６１Ｄ，６１Ａ，６１Ｋで出金返却部２１に搬送する。一時貯留収納庫４１（Ｃ）の一時貯留領域部４７に一時貯留している紙幣がある場合、この一時貯留領域部４７の紙幣を同様にして繰り出し、搬送路６１Ｅ，６１Ａ，６１Ｋで出金返却部２１に搬送する。一時貯留収納庫４１（Ｄ）の一時貯留領域部４７に一時貯留している紙幣がある場合、この一時貯留領域部４７の紙幣を同様にして繰り出し、搬送路６１Ｆ，６１Ａ，６１Ｋで出金返却部２１に搬送する。
【００７９】
また、収納カセット部５１に一時貯留しているオーバーフロー紙幣がある場合、収納カセット部５１の取込繰出部５２が、この収納カセット部５１の紙幣を最上位置のものから蹴出ローラ５２ａで蹴り出し繰出ローラ５２ｂおよび分離ローラ５２ｃで一枚ずつに分離しつつ所定の間隔をあけて繰り出すことになり、繰り出した紙幣を、搬送路６１Ａ，６１Ｋで出金返却部２１に搬送する。すなわち、制御部７１は、入金キャンセル時には、金種別の一時貯留収納庫４１（Ａ）〜４１（Ｄ）の一時貯留領域部４７および収納カセット部５１に一時貯留した紙幣を出金返却部２１に繰り出させる。返却処理の最後に、制御部７１は、出金返却部２１のシャッタを開いて出金返却部２１から紙幣を取り出し可能にする。これにより、入金処理において入金部２０に投入された紙幣のうち、入金処理において出金返却部２１に繰り出された紙幣以外のすべての紙幣が、返却処理において、出金返却部２１に繰り出される。
【００８０】
［バラ紙幣出金処理］
図６の太線は、操作表示部７０へ入力されたバラ紙幣出金操作に基づいて、一時貯留収納庫４１（Ａ）〜４１（Ｄ）の指定された金種のものから紙幣を出金するバラ紙幣出金処理の紙幣搬送ルートを示している。つまり、バラ出金処理において、制御部７１は、搬送部６１を駆動すると共に、入力された金種別の出金枚数に基づき、一時貯留収納庫４１（Ａ）の収納領域部４８に収納している第１金種の紙幣を繰り出す場合、一時貯留収納庫４１（Ａ）のフラッパ４３を待機位置で開作動させた後、一時貯留収納庫４１（Ａ）のエレベータ４４を上昇させて、このエレベータ４４に載置された紙幣のうち、最上位置の紙幣を一時貯留収納庫４１（Ａ）の取込繰出部４２の蹴出ローラ４２ａに当接させる。それと共に、この取込繰出部４２を駆動して、一時貯留収納庫４１（Ａ）のエレベータ４４に載置された紙幣を最上位置のものから蹴出ローラ４２ａで蹴り出し繰出ローラ４２ｂおよび分離ローラ４２ｃで一枚ずつに分離しつつ所定の間隔をあけて繰り出すことになり、繰り出した紙幣を、図６に太実線で示すように、搬送路６１Ｃ，６１Ａで識別部３１に、入金処理とは逆向きに搬送し、識別部３１の識別結果に基づいて、表裏反転が必要でない正常紙幣を、搬送路６１Ａ，６１Ｋでそのまま出金返却部２１に、表裏反転が必要な正常紙幣を、搬送路６１Ａから搬送路６１Ｎを介して表裏反転部６３で表裏反転させた後、搬送路６１Ｍ，６１Ｋで出金返却部２１に、それぞれ搬送する。これにより、バラ紙幣出金操作に基づく第１金種の正常紙幣を出金返却部２１に表裏を取り揃えながら繰り出す。なお、識別部３１が搬送異常と識別したり、金種識別不良と識別した、正常紙幣以外のリジェクト紙幣については、図６に太実線から太破線で示すように、搬送路６１Ａ，６１Ｋ，６１Ｌによって出金リジェクト庫２２に搬送し、出金リジェクト庫２２に収納する。
【００８１】
また、バラ出金処理において、一時貯留収納庫４１（Ｂ）の収納領域部４８に収納している第２金種の紙幣を繰り出す場合、制御部７１は、同様にして、一時貯留収納庫４１（Ｂ）のフラッパ４３を開作動させた後、一時貯留収納庫４１（Ｂ）のエレベータ４４を上昇させて、このエレベータ４４に載置された紙幣を最上位置のものから順に取込繰出部４２で繰り出させて搬送路６１Ｄ，６１Ａで識別部３１に搬送することになり、識別部３１の識別結果に基づいて、表裏を取り揃えながら、出金返却部２１に搬送する。
【００８２】
また、バラ出金処理において、一時貯留収納庫４１（Ｃ）の収納領域部４８に収納している第３金種の紙幣を繰り出す場合、制御部７１は、同様にして、一時貯留収納庫４１（Ｃ）のフラッパ４３を開作動させた後、一時貯留収納庫４１（Ｃ）のエレベータ４４を上昇させて、このエレベータ４４に載置された紙幣を最上位置のものから順に取込繰出部４２で繰り出させて搬送路６１Ｅ，６１Ａで識別部３１に搬送することになり、識別部３１の識別結果に基づいて、表裏を取り揃えながら、出金返却部２１に搬送する。
【００８３】
また、バラ出金処理において、一時貯留収納庫４１（Ｄ）の収納領域部４８に収納している第４金種の紙幣を繰り出す場合、制御部７１は、同様にして、一時貯留収納庫４１（Ｄ）のフラッパ４３を開作動させた後、一時貯留収納庫４１（Ｄ）のエレベータ４４を上昇させて、このエレベータ４４に載置された紙幣を最上位置のものから順に取込繰出部４２で繰り出させて搬送路６１Ｆ，６１Ａで識別部３１に搬送することになり、識別部３１の識別結果に基づいて、表裏を取り揃えながら、出金返却部２１に搬送する。
【００８４】
以上のようにして、入力された金種別の出金枚数の紙幣を、金種別に、表裏を取り揃えながら出金返却部２１に繰り出す。バラ紙幣出金処理の最後に、制御部７１は、出金返却部２１のシャッタを開いて出金返却部２１から紙幣を取り出し可能にする。
【００８５】
［束紙幣出金処理］
図７の太線は、操作表示部７０へ入力された束紙幣出金操作に基づいて、一時貯留収納庫４１（Ａ）〜４１（Ｄ）の指定された金種のものから紙幣を結束して出金する束紙幣出金処理の紙幣搬送ルートを示している。
【００８６】
つまり、束紙幣出金処理において、制御部７１は、搬送部６１を駆動すると共に、入力された金種別の出金束数に基づき、一時貯留収納庫４１（Ａ）の収納領域部４８に収納している第１金種の紙幣を結束して出金する場合、一時貯留収納庫４１（Ａ）の待機位置のフラッパ４３を開作動させた後、一時貯留収納庫４１（Ａ）のエレベータ４４を上昇させて、このエレベータ４４に載置された紙幣のうち、最上位置の紙幣を一時貯留収納庫４１（Ａ）の取込繰出部４２の蹴出ローラ４２ａに当接させる。それと共に、この取込繰出部４２を駆動して、一時貯留収納庫４１（Ａ）のエレベータ４４に載置された紙幣を最上位置のものから蹴出ローラ４２ａで蹴り出し繰出ローラ４２ｂおよび分離ローラ４２ｃで一枚ずつに分離しつつ所定の間隔をあけて繰り出すことになる。
【００８７】
そして、繰り出した紙幣を、図７に太実線で示すように、搬送路６１Ｃ，６１Ａで識別部３１に搬送し、識別部３１の識別結果に基づいて、表裏反転が必要でない正常紙幣を、搬送路６１Ａ，６１Ｋ，６１Ｐで整列部３５に、表裏反転が必要な正常紙幣を、搬送路６１Ａから搬送路６１Ｎを介して表裏反転部６３で表裏反転させた後、搬送路６１Ｍ，６１Ｋ，６１Ｐで整列部３５に、それぞれ搬送する。これにより、指定された単一金種の正常紙幣を結束単位枚数だけ整列部３５に繰り出す。なお、識別部３１で重送、斜行あるいはニアフィード等の搬送異常と識別したり金種識別不良と識別した、正常紙幣以外のリジェクト紙幣については、図７に太実線から太破線で示すように、搬送路６１Ａ，６１Ｋ，６１Ｌによって出金リジェクト庫２２に搬送し、出金リジェクト庫２２に収納する。そして、指定された単一金種の結束単位枚数の紙幣を整列部３５から、昇降搬送部３７で搬送して、結束部３８で結束を行い、束出金部３９に繰り出す。
【００８８】
ここで、指定された単一金種の紙幣を結束単位枚数だけ整列部３５に繰り出すと、この金種の出金束数が複数である場合、引き続き、一時貯留収納庫４１（Ａ）の収納領域部４８から紙幣を繰り出すことになり、反転が必要でない正常紙幣を、搬送路６１Ａ，６１Ｋ，６１Ｑで整列部３６に、表裏反転が必要な正常紙幣を、搬送路６１Ａから搬送路６１Ｎを介して表裏反転部６３で表裏反転させた後、搬送路６１Ｍ，６１Ｋ，６１Ｑで整列部３６に、それぞれ搬送する。これにより、指定された単一金種の正常紙幣を結束単位枚数だけ整列部３６に繰り出して、上記と同様に、結束部３８で結束を行い、束出金部３９に繰り出す。このように束紙幣出金処理では、単一金種を複数束出金する場合、整列部３５，３６に結束単位枚数ずつ交互に紙幣を集積させる。
【００８９】
束紙幣出金処理では、以上のような処理を、指定された金種毎に指定された束数分行うことになり、指定された全金種のそれぞれについて、指定された全束数の束紙幣を束出金部３９に繰り出すことになる。束紙幣出金処理の最後に、制御部７１は、束出金部３９のシャッタを開いて束出金部３９から束紙幣を取り出し可能にする。
【００９０】
［ローカル整理処理］  
図８の太線は、機外から入金部２０に投入された紙幣を搬送しつつ識別および計数して結束するローカル整理処理の紙幣搬送ルートを示している。つまり、操作表示部７０にローカル整理処理の選択操作がなされると、制御部７１は、ローカル整理処理を開始して入金繰出部２４、搬送部６１を駆動する。すると、入金繰出部２４は、入金部２０に投入された紙幣を最下のものから順に、蹴出ローラ２４ａで蹴り出し繰出ローラ２４ｂおよび分離ローラ２４ｃで一枚ずつに分離しつつ所定の間隔をあけて繰り出すことになり、繰り出した紙幣を、搬送路６１Ａ，６１Ｊ，６１Ｇ，６１Ｈ，６１Ａで識別部３１に搬送し、識別部３１で識別させる。そして、識別部３１の識別結果から、結束対象金種の正常紙幣を、表裏反転が必要でないものについては搬送路６１Ａ，６１Ｋ，６１Ｐで整列部３５に、表裏反転が必要なものについては搬送路６１Ａから搬送路６１Ｎを介して表裏反転部６３で表裏反転させた後、搬送路６１Ｍ，６１Ｋ，６１Ｐで整列部３５に、それぞれ搬送する。これにより、指定された単一金種の正常紙幣を結束単位枚数だけ整列部３５に繰り出す。なお、識別部３１の識別結果から、搬送異常の紙幣と、金種識別不能を含む結束対象金種以外の紙幣とについては、リジェクト紙幣として、図８に太実線から太破線で示すように、搬送路６１Ａ，６１Ｋによって出金返却部２１に繰り出す。指定された単一金種の結束単位枚数の正常紙幣を整列部３５から、昇降搬送部３７で搬送して、結束部３８で結束を行い、束出金部３９に繰り出す。なお、結束対象として指定される金種は、ローカル整理処理の選択操作時に手動入力される場合と、ローカル整理処理の実行で最初に識別部３１が識別した金種に自動設定される場合とがある。
【００９１】
指定された単一金種の正常紙幣を結束単位枚数だけ整列部３５に繰り出すと、指定された出金束数が複数である場合、引き続き、入金部２０から紙幣を繰り出すことになり、反転が必要でない正常紙幣を、搬送路６１Ａ，６１Ｋ，６１Ｑで整列部３６に、表裏反転が必要な正常紙幣を、搬送路６１Ａから搬送路６１Ｎを介して表裏反転部６３で表裏反転させた後、搬送路６１Ｍ，６１Ｋ，６１Ｑで整列部３６に、それぞれ搬送する。これにより、指定された単一金種の正常紙幣を結束単位枚数だけ整列部３６に繰り出して、上記と同様に、結束部３８で結束を行い、束出金部３９に繰り出す。このようにローカル整理処理でも、単一金種を複数束出金する場合、整列部３５，３６に結束単位枚数ずつ交互に紙幣を集積させる。ローカル整理処理の最後に、制御部７１は、束出金部３９および出金返却部２１のシャッタを開いて束出金部３９および出金返却部２１から束紙幣および紙幣を取り出し可能にする。
【００９２】
［回収処理］
図９の太線は、操作表示部７０へ入力された回収操作に基づいて、一時貯留収納庫４１（Ａ）〜４１（Ｄ）の指定された金種のものから紙幣を回収する回収処理の紙幣搬送ルートを示している。つまり、回収処理において、制御部７１は、搬送部６１を駆動すると共に、一時貯留収納庫４１（Ａ）の収納領域部４８に収納している第１金種の紙幣を回収する場合、一時貯留収納庫４１（Ａ）の待機位置のフラッパ４３を開作動させた後、一時貯留収納庫４１（Ａ）のエレベータ４４を上昇させて、このエレベータ４４に載置された紙幣のうち、最上位置の紙幣を一時貯留収納庫４１（Ａ）の取込繰出部４２の蹴出ローラ４２ａに当接させる。それと共に、この取込繰出部４２を駆動して、一時貯留収納庫４１（Ａ）のエレベータ４４に載置された紙幣を最上位置のものから蹴出ローラ４２ａで蹴り出し繰出ローラ４２ｂおよび分離ローラ４２ｃで一枚ずつに分離しつつ所定の間隔をあけて繰り出すことになる。繰り出した紙幣を、図９に太実線で示すように、搬送路６１Ｃ，６１Ａで識別部３１に搬送し、識別部３１の識別結果に基づいて、正常紙幣は搬送路６１Ａ，６１Ｇ，６１Ａで収納カセット部５１に搬送する。なお、識別部３１で搬送異常と識別したり金種識別不良と識別した、正常紙幣以外のリジェクト紙幣については、図９に太実線から太破線で示すように、搬送路６１Ａ，６１Ｋ，６１Ｌによって出金リジェクト庫２２に搬送し、出金リジェクト庫２２に収納する。
【００９３】
また、回収処理において、一時貯留収納庫４１（Ｂ）の収納領域部４８に収納している第２金種の紙幣を回収する場合、制御部７１は、同様にして、一時貯留収納庫４１（Ｂ）のフラッパ４３を開作動させた後、一時貯留収納庫４１（Ｂ）のエレベータ４４を上昇させて、このエレベータ４４に載置された紙幣を最上位置の紙幣から順に取込繰出部４２で繰り出させることになり、そのうちの正常紙幣を搬送路６１Ｄ，６１Ａ，６１Ｇ，６１Ａで収納カセット部５１に搬送する。
【００９４】
また、回収処理において、一時貯留収納庫４１（Ｃ）の収納領域部４８に収納している第３金種の紙幣を回収する場合、制御部７１は、同様にして、一時貯留収納庫４１（Ｃ）のフラッパ４３を開作動させた後、一時貯留収納庫４１（Ｃ）のエレベータ４４を上昇させて、このエレベータ４４に載置された紙幣を最上位置の紙幣から順に取込繰出部４２で繰り出させることになり、そのうちの正常紙幣を搬送路６１Ｅ，６１Ａ，６１Ｇ，６１Ａで収納カセット部５１に搬送する。
【００９５】
また、回収処理において、一時貯留収納庫４１（Ｄ）の収納領域部４８に収納している第４金種の紙幣を回収する場合、制御部７１は、同様にして、一時貯留収納庫４１（Ｄ）のフラッパ４３を開作動させた後、一時貯留収納庫４１（Ｄ）のエレベータ４４を上昇させて、このエレベータ４４に載置された紙幣を最上位置の紙幣から順に取込繰出部４２で繰り出させることになり、そのうちの正常紙幣を搬送路６１Ｆ，６１Ａ，６１Ｇ，６１Ａで収納カセット部５１に搬送する。
【００９６】
回収処理では、以上のような処理を指定された一または複数金種について行うことになり、これにより、識別部３１で識別および計数済みの紙幣のみを収納カセット部５１に収納する。回収対象の紙幣を在り高を把握した状態で収納した収納カセット部５１が、機体１０から取り外されて運搬される。
【００９７】
［補充処理］
補充用の紙幣が機外で装填された状態で機体１０にセットされた収納カセット部５１の紙幣を、一時貯留収納庫４１（Ａ）〜４１（Ｄ）のそれぞれの収納領域部４８に収納する補充処理では、制御部７１は、上記した第２収納処理と同様にして、収納カセット部５１の紙幣を一時貯留収納庫４１（Ａ）〜４１（Ｄ）の対応するものの収納領域部４８に、フラッパ４３が開状態の一時貯留領域部４７を介して収納する。
【００９８】
以上に述べた第１実施形態によれば、制御部７１は、入金処理時に、入金部２０に投入された紙幣を識別部３１の識別結果に基づいて複数の金種別の一時貯留収納庫４１（Ａ）〜４１（Ｄ）の一時貯留領域部４７に貯留させると共に、複数の金種別の一時貯留収納庫４１（Ａ）〜４１（Ｄ）の一時貯留領域部４７の少なくともいずれか一つが所定の貯留状態である満杯状態になったとき、当該所定の貯留状態である満杯状態の一時貯留領域部４７に貯留できないオーバーフロー紙幣を収納カセット部５１に一時貯留させる。そして、入金確定時には、複数の金種別の一時貯留収納庫４１（Ａ）〜４１（Ｄ）の一時貯留領域部４７に貯留した紙幣をフラッパ４３を開状態として金種別の一時貯留収納庫４１（Ａ）〜４１（Ｄ）の収納領域部４８に収納させる。
【００９９】
このように紙幣を入金確定前に複数、金種別に分けて一時貯留収納庫４１（Ａ）〜４１（Ｄ）の一時貯留領域部４７に一時貯留し、入金確定時には一時貯留領域部４７のフラッパ４３の開作動でそれぞれの同一金種の収納領域部４８に一括して収納するため、金種混合で一時貯留したすべての紙幣を入金確定後に分配する場合と比べて、入金確定時の収納処理の処理時間を短縮可能となる。
【０１００】
また、一時貯留領域部４７の紙幣をフラッパ４３の開作動で下方の収納領域部４８に一括落下させて収納するため、搬送して分配するよりもジャムの発生を抑制することが可能となる。
【０１０１】
また、入金キャンセル時には、金種別の一時貯留収納庫４１（Ａ）〜４１（Ｄ）の一時貯留領域部４７および収納カセット部５１に貯留した紙幣を出金返却部２１に繰り出させるため、入金部２０に投入された紙幣そのものを出金返却部２１に戻すことができる。
【０１０２】
また、制御部７１は、入金確定時に収納カセット部５１にオーバーフロー紙幣がある場合には、このオーバーフロー紙幣を、識別部３１の識別結果に基づいて振り分けて、フラッパ４３が開状態にある複数の金種別の一時貯留収納庫４１（Ａ）〜４１（Ｄ）の一時貯留領域部４７を介して、複数の金種別の一時貯留収納庫４１（Ａ）〜４１（Ｄ）の収納領域部４８に収納させるため、入金処理時に、一時貯留領域部４７に貯留できなかったオーバーフロー紙幣についても、複数の金種別の一時貯留収納庫４１（Ａ）〜４１（Ｄ）の収納領域部４８に収納して、出金用紙幣として有効利用することができる。
【０１０３】
すなわち、入金処理時に収納カセット部５１に一時貯留される紙幣は、金種別の一時貯留収納庫４１（Ａ）〜４１（Ｄ）の一時貯留領域部４７に一時貯留できなかったオーバーフロー分のみであるため、通常、量は少ない。よって、収納カセット部５１に一時貯留した紙幣を金種別の一時貯留収納庫４１（Ａ）〜４１（Ｄ）の収納領域部４８に分配して収納する時間はあまり掛からない。このため、金種別の一時貯留収納庫４１（Ａ）〜４１（Ｄ）の一時貯留領域部４７に一時貯留した紙幣を収納領域部４８に収納する第１収納処理に引き続いて、収納カセット部５１に一時貯留した紙幣を分配して収納領域部４８に収納する第２収納処理を行うようにしても時間は掛からない。したがって、金種混合で一時貯留したすべての紙幣を入金確定後に分配する場合と比べて、入金確定時の収納処理の処理時間を短縮可能となる。
【０１０４】
また、機体１０から取り外し可能であって回収処理時に複数の金種別の一時貯留収納庫４１（Ａ）〜４１（Ｄ）の収納領域部４８の紙幣を収納すると共に補充用の紙幣が機外で装填される収納カセット部５１を、オーバーフロー紙幣用の収納カセット部として使用するため、オーバーフロー紙幣専用の収納カセット部を設ける必要がなく、紙幣処理機１１の小型化および低コスト化が図れる。すなわち、補充・回収用の収納カセット部５１を、補充・回収用途以外で、オーバーフロー紙幣の一時貯留用に活用することで、専用収納庫（オーバーフロー収納庫）を省くことが可能になり、省スペース・低コストになる。また、大容量の収納カセット部５１をオーバーフロー紙幣の一時貯留用とするため、大量のオーバーフロー紙幣の一時貯留が可能となる。
【０１０５】
また、金種別の一時貯留収納庫４１（Ａ）〜４１（Ｄ）のそれぞれを昇降可能なフラッパ４３で一時貯留領域部４７と収納領域部４８とに分けているため、一時貯留領域部４７および収納領域部４８の容量を可変とすることができる。このため、一時貯留領域部４７の収納容量を大きくすることで、オーバーフロー紙幣の発生を少なくすることができる。このようにオーバーフロー紙幣を少なくすることができることから、第２収納処理が必要になったとしても、第２収納処理の処理時間を短くできる。
【０１０６】
また、入金処理時に入金部２０から繰り出された紙幣のうち、金種識別を行うための識別部３１よりも入金部２０側の入口センサ２５で搬送異常紙幣あるいは形状異常紙幣であることが検出された紙幣については、識別部３１に搬送することなく、ショートカットで出金返却部２１に搬送して返却する。よって、ジャム発生を抑制することができる。しかも、入金部２０から識別部３１に向かう搬送路６１Ａから分岐し、分岐後はこの搬送路６１Ａとは交わらない搬送路６１Ｍ，６１Ｋで出金返却部２１に紙幣を搬送することができるため、入金部２０から機内への繰り出し動作を一時中断せずに、搬送異常紙幣あるいは形状異常紙幣であることが検出された紙幣を出金返却部２１に搬送することができる。
【０１０７】
以上の第１実施形態において、市場流通量が少ない金種の紙幣（例えば二千円券）を還流使用しない非還流紙幣とする設定としても良い。この場合、一時貯留収納庫４１（Ａ）〜４１（Ｄ）のうちの複数に同一金種の還流紙幣（例えば万円券）を収納することができる。この設定の場合、入金処理において、非還流紙幣をオーバーフロー紙幣と同様に収納カセット部５１に一時貯留することになり、第２収納処理では、収納カセット部５１に一時貯留された紙幣のうちのオーバーフローの正常な還流紙幣は一時貯留収納庫４１（Ａ）〜４１（Ｄ）の対応金種のものの収納領域部４８に収納する一方、収納カセット部５１に一時貯留された紙幣のうちの非還流紙幣は、リジェクト紙幣と同様に出金リジェクト庫２２に収納する。
【０１０８】
また、第１実施形態において、収納カセット部５１を一時貯留収納庫４１と同様にフラッパ４３を有する構成にしても良い。このように構成すれば、収納カセット部５１からオーバーフロー紙幣を一時貯留収納庫４１（Ａ）〜４１（Ｄ）に分配する第２収納処理の最中に、次の入金取引が指示されたときは、第２収納処理を中断して、収納カセット部５１に残ったオーバーフロー紙幣を収納カセット部５１のフラッパ４３よりも下方へ一旦収納する。これにより、フラッパ４３よりも上側に次の入金取引のオーバーフロー紙幣を、その前のオーバーフロー紙幣と分けて一時貯留することができる。よって、次の入金取引のオーバーフロー紙幣についても、返却処理時には、そのものを出金返却部２１に返却可能となる。したがって、前の入金取引の第２収納処理を待機することなく、次の入金取引が可能となる。この場合、次の入金取引のオーバーフロー紙幣を一時貯留収納庫４１（Ａ）〜４１（Ｄ）に分配する第２収納処理を行った後、フラッパ４３よりも下方に一旦収納したオーバーフロー紙幣についての中断していた前の第２収納処理を再開する。
【０１０９】
この場合、収納カセット部５１は、フラッパ４３から上側が紙幣を繰り出し可能に一時貯留する、底部であるフラッパ４３が開閉可能な一括一時貯留領域部となり、フラッパ４３よりも下側が、一括一時貯留領域部の下側に設けられ、フラッパ４３が開状態とされた一括一時貯留領域部から紙幣を受け入れて繰り出し可能に収納する一括収納領域部となる。制御部７１は、入金確定時に、複数の金種別の一時貯留収納庫４１（Ａ）〜４１（Ｄ）の一時貯留領域部４７に貯留した紙幣をそれぞれのフラッパ４３を開状態として複数の金種別の一時貯留収納庫４１（Ａ）〜４１（Ｄ）の収納領域部４８に収納させると共に、収納カセット部５１のオーバーフロー紙幣を、識別部３１の識別結果に基づいて振り分けて、複数の金種別の一時貯留収納庫４１（Ａ）〜４１（Ｄ）の一時貯留領域部４７を介して収納領域部４８に収納させる一連の動作の最中に、次の入金取引の指示がなされたときには、該一連の動作を中断し、収納カセット部５１のフラッパ４３より上方の一括一時貯留領域部に残ったオーバーフロー紙幣をフラッパ４３よりも下方の一括収納領域部に一旦収納させる。よって、次の入金取引の開始を早めることができる。
【０１１０】
また、第１実施形態において、金種別の一時貯留収納庫４１（Ａ）〜４１（Ｄ）のそれぞれをフラッパ４３ではなく開閉可能で昇降不可なシャッタで一時貯留領域部４７と収納領域部４８とに分けても良い。この場合、一時貯留領域部４７および収納領域部４８の収納容量はそれぞれ固定となる。昇降不可なシャッタを用いれば、金種別の一時貯留収納庫４１（Ａ）〜４１（Ｄ）のシャッタの高さ位置を揃えることで、開閉用の駆動源（例えばモータ）を共通にすることが容易に可能となり、コストを低減することができる。
【０１１１】
第１実施形態では、上記したように、入金処理において、識別部３１で受け入れ不可と識別されたリジェクト紙幣を出金返却部２１へ搬送する際の紙幣搬送ルートが、入金部２０より取り込まれて識別部３１へ向かう紙幣のルートと一部交差しているため、リジェクト紙幣を出金返却部２１へ搬送する際には、入金部２０からの繰り出し動作を一時中断する必要がある。よって、出金返却部２１へ搬送されるリジェクト紙幣が多いほど、入金部２０からの繰り出し動作の一時停止を多く繰り返すことになる。このような入金部２０の間欠繰り出し動作を抑制するために、以下のように制御を変更しても良い。
【０１１２】
入金処理において、識別部３１で受け入れ不可と識別されたリジェクト紙幣を、直ちに出金返却部２１へ搬送するのではなく、オーバーフロー紙幣が生じない状況では、図１０に太実線から太破線で示すように、往路ルートにて、一旦、搬送路６１Ａで収納カセット部５１に貯留しておき、入金部２０にセットされる紙幣がすべて機内へ取り込まれた後に、収納カセット部５１に貯留させていたリジェクト紙幣を、図１１に太破線で示すように、復路ルートにて搬送路６１Ａ，６１Ｇ，６１Ａ，６１Ｍ，６１Ｋで出金返却部２１へ搬送するようにする。
【０１１３】
この場合、入金処理中に、一時貯留収納庫４１（Ａ）〜４１（Ｄ）のいずれかの一時貯留領域部４７の紙幣収納量が満杯状態近くになった時点で、入金部２０からの入金繰出部２４による紙幣の繰り出しを一旦停止させ、搬送路６１Ａ上の紙幣の振り分け搬送を終えてから（または入金繰り出し紙幣と搬送が交差しない条件となってから）、収納カセット部５１に貯留していたリジェクト紙幣を、図１１に太破線で示すように、搬送路６１Ａ，６１Ｇ，６１Ａ，６１Ｍ，６１Ｋで出金返却部２１へ搬送する。そして、その後は、オーバーフロー紙幣を収納カセット部５１に貯留しつつリジェクト紙幣が発生した場合には入金繰出部２４を停止させる、図２に太線でルートを示す上述した入金処理の制御に切り替える。ここで、満杯状態近いと判定される紙幣収納量とは、この紙幣収納量となった一時貯留収納庫４１の一時貯留領域部４７に、満杯状態近いと判定した時点で搬送路６１Ａ上に残存している紙幣がすべて収納されたとしてもオーバーフロー紙幣を生じることがない枚数、すなわち、一時貯留領域部４７の満杯状態と判定する満杯枚数から、入金繰出部２４の停止時点で搬送路６１Ａ上に残存する紙幣の枚数を減算した値である。
【０１１４】
入金処理においては、金種別の一時貯留収納庫４１（Ａ）〜４１（Ｄ）のいずれかの一時貯留領域部４７が満杯状態近くになる時には、入金部２０の紙幣残量が少なくなっていることが想定されるため、上記のような２段階の制御、すなわちリジェクト紙幣を収納カセット部５１に貯留させる第１段階の制御の後、リジェクト紙幣が発生した場合に入金繰出部２４を停止させる第２段階の制御に切り替えても、入金処理時間に及ぼす影響は少ない。
【０１１５】
なお、入金処理において、リジェクト紙幣を収納カセット部５１に貯留させる第１段階の制御の後、リジェクト紙幣が発生した場合に入金繰出部２４を停止させる第２段階の制御に切り替える制御パターンと、最初から、リジェクト紙幣が発生した場合に入金繰出部２４を停止させる制御パターンとを、入金処理開始前に予め操作者に選択させて設定するようにしても良い。
【０１１６】
第１実施形態において、例えば、出金返却部２１を２つ設け、返却処理時と、ローカル整理処理における紙幣のリジェクト時とにおいて、バラ紙幣出金処理等で行った表裏取り揃え制御を行っても良い。すなわち、返却処理時およびローカル整理処理における紙幣のリジェクト時には、紙幣の表裏を揃えて機外への出金返却部２１に集積させることが望ましいが、識別部３１にてリジェクト紙幣と識別された紙幣では表裏が不明である場合があり、この場合は紙幣の表裏を揃えて返却させることができない。このため、出金返却部２１を２つ設け、表裏が揃った紙幣と、表裏が不揃い（不明）の紙幣とにそれぞれ分けて集積させる。この場合、表裏不揃いである紙幣を一方の出金返却部２１へ搬送後、操作表示部７０へ「出金返却口の紙幣はリジェクト紙幣ですので、抜き取り後に表裏を揃えて下さい。」等のガイダンスを表示し、操作者の手を介して紙幣の表裏を揃えるように誘導しても良い。これにより、紙幣の表裏情報が得られていない場合があっても、紙幣の表裏情報が得られていない紙幣と、表裏が揃った紙幣とを混ぜることなく容易に分離できる。したがって、使い勝手が良くなり、利便性が向上する。
【０１１７】
また、第２収納処理では、紙幣を一時貯留収納庫４１（Ａ）〜４１（Ｄ）の収納領域部４８に収納する際に、フラッパ４３が開状態の一時貯留領域部４７を介して収納するようにしたが、紙幣をフラッパ４３が閉状態の一時貯留領域部４７に一旦貯留した後、フラッパ４３を開作動させて収納領域部４８に収納するようにしても良い。この場合、例えば、収納カセット部５１から一時貯留収納庫４１（Ａ）〜４１（Ｄ）へ紙幣を分配する場合に、一つの一時貯留領域部４７が満杯状態になる度に、収納カセット部５１の繰り出しを止めて、一時貯留領域部４７から収納領域部４８へ収納させ、その後、収納カセット部５１から一時貯留収納庫４１（Ａ）〜４１（Ｄ）への分配を再開させるように制御する。
【０１１８】
＜第２実施形態＞
本発明に係る第２実施形態の紙幣処理機を、第１実施形態との相違部分を中心に説明する。
【０１１９】
第２実施形態では、図１２に示すように、入金部２０に、上下に集積されて載置された紙幣の集積高さが所定高さ以下であるか否かを検出する光学式の集積高検出センサ８１が設けられている。集積高検出センサ８１は、入金部２０の紙幣の集積高さが、所定の高さ、具体的には、ローカル整理処理時に１束の結束が可能となるが２束の結束は不可である１００枚＋α程度の集積高さ以下になったことを検出する。集積高検出センサ８１は、紙幣で遮光されると集積高さが所定の高さを越えていることを検出することになり、紙幣で遮光されない状態では集積高さが所定の高さ以下であることを検出する。
【０１２０】
第２実施形態では、入金部２０にセットされた紙幣を識別部３１で識別および計数し、整列部３５，３６、昇降搬送部３７および結束部３８で結束して、束出金部３９で機外排出する第１実施形態と同様のローカル整理処理を、集積高検出センサ８１の検出結果を利用して行うようになっている。
【０１２１】
［ローカル整理処理］  
ローカル整理処理は、複数のモードが選択可能となっている。これらモードには、単一の結束対象金種を手動入力により指定して紙幣の結束を行う単一金種手動指定結束モードと、単一の結束対象金種を識別部３１で識別した一枚目の紙幣の金種に自動設定して紙幣の結束を行う単一金種自動設定結束モードと、複数金種の紙幣の結束を行う複数金種結束モードとがある。
【０１２２】
また、単一金種手動指定結束モードと単一金種自動設定結束モードとについては、それぞれが、入金部２０にセットされた紙幣を一時貯留収納庫４１（Ａ）〜４１（Ｄ）に一時貯留した後、整列部３５，３６に搬送して結束部３８で結束するプール経由ルートと、入金部２０にセットされた紙幣を一時貯留収納庫４１（Ａ）〜４１（Ｄ）に一時貯留せずに、整列部３５，３６に搬送して結束部３８で結束するダイレクトルートとが選択可能となっている。なお、複数金種結束モードでは、紙幣を金種別に分ける必要があるため、入金部２０にセットされた紙幣を一時貯留収納庫４１（Ａ）〜４１（Ｄ）に一時貯留した後、整列部３５，３６に搬送して結束部３８で結束するプール経由ルートとなっている。
【０１２３】
操作表示部７０への操作によりモード選択が行われることになり、単一金種手動指定結束モードと単一金種自動設定結束モードとが選択された場合については、さらに、操作表示部７０への操作によりプール経由ルートおよびダイレクトルートからルート選択が行われることになる。
【０１２４】
｛単一金種手動指定結束モードのダイレクトルート｝
図１２の太線は、単一金種手動指定結束モードのダイレクトルートを示している。操作表示部７０に結束対象金種を含んで単一金種手動指定結束モードのダイレクトルートが設定されると、制御部７１は、集積高検出センサ８１が紙幣を検出していて入金部２０に１束の結束単位枚数（１００枚）より多い紙幣がある場合には、第１実施形態のローカル整理処理と同様にして、図１２に太実線で示すように、入金部２０の紙幣を搬送路６１Ａ，６１Ｊ，６１Ｇ，６１Ｈ，６１Ａで識別部３１に搬送し、識別部３１で正常な結束対象金種と識別された正常紙幣を、表裏反転不要なら搬送路６１Ａ，６１Ｋ，６１Ｐ，６１Ｑで、表裏反転要なら搬送路６１Ａ，６１Ｎ，６１Ｍ，６１Ｋ，６１Ｐ，６１Ｑで、整列部３５，３６に搬送し、昇降搬送部３７および結束部３８で結束して、束出金部３９に繰り出す。一方、識別部３１の識別結果から、搬送異常の紙幣と、金種識別不能を含む結束対象金種以外の紙幣とについては、リジェクト紙幣として、図１２に太実線から太破線で示すように、搬送路６１Ａ，６１Ｋで出金返却部２１に繰り出す。なお、集積高検出センサ８１が紙幣を検出していなければ、少数枚数であることを操作表示部７０で報知させて、同じモードの後述するプール経由ルートのみを選択可能にする。
【０１２５】
ここで、単一金種手動指定結束モードのダイレクトルートでのローカル整理処理中に、集積高検出センサ８１が紙幣を検出しない状態になると、制御部７１は、整列部３５，３６のうち、その時点で紙幣が集積されているものに１００枚目として搬送される紙幣を識別部３１が識別した時点で、整列部３５，３６への紙幣の搬送を止め、１００枚目の紙幣以降の紙幣は、結束対象金種であるか否かに関わらず、すべて出金返却部２１に搬送する。
【０１２６】
なお、ローカル整理処理中に、集積高検出センサ８１が紙幣を検出しない状態になった場合の制御については、上記制御に限定しなくてもよい。例えば、入金部２０からの紙幣の繰り出しを一旦停止後、操作表示部７０にガイダンスを表示させて、操作者に、紙幣の追加セットの有無についての選択を促した後、操作表示部７０に紙幣の追加セット有りが選択入力された場合は、集積高検出センサ８１が紙幣を検出する状態になると、ローカル整理処理を再開する。一方、操作表示部７０に紙幣の追加セットなしが選択入力された場合は、同じモードの後述するプール経由ルートに切り替える制御としても良い。これにより、端数枚を整列部３５，３６へ残さないようにできる。
【０１２７】
この制御において、紙幣の追加セットなしが選択入力された場合は、一律にプール経由ルートに切り替える必要はなく、例えば、操作表示部７０にガイダンスを表示させて、操作者に、端数終了の可否についての選択入力させても良い。端数終了可が選択入力された場合には、ダイレクトルートで計数を再開し、端数終了不可が選択された場合には、プール経由ルートに切り替えて計数を再開する制御であってもよい。
【０１２８】
集積高検出センサ８１は、紙幣で遮光される光学式センサを例にとり説明したが、これに限らず、例えば、入金部２０に設けられた図示略のビルプレスの高さ位置から、紙幣の集積高さを検出しても良い。いずれの場合も、それまでに搬送した紙幣群の金種別の割合を把握し、残り紙幣の割合をそれに当て嵌めて、１００枚の倍数あるか否かを判断して、１００枚ありそうな枚数のときには整列部３５，３６へ搬送し、それ以外のときは、出金返却部２１への搬送、または追加セットの有無の照会を行うようにしても良い。単一金種手動指定結束モードのダイレクトルートでの処理の最後に、制御部７１は、束出金部３９および出金返却部２１のシャッタを開いて束出金部３９および出金返却部２１から束紙幣および紙幣を取り出し可能にする。
【０１２９】
｛単一金種手動指定結束モードのプール経由ルート｝
図１３の太線は、単一金種手動指定結束モードのプール経由ルートの往路ルートを示している。操作表示部７０に結束対象金種を含んで単一金種手動指定結束モードのプール経由ルートが設定されると、制御部７１は、図１３に太実線で示すように、入金部２０から紙幣を繰り出し搬送路６１Ａで識別部３１に搬送する。そして、識別部３１が紙幣を識別および計数することになり、識別部３１で正常な結束対象金種と識別された正常紙幣を、一時貯留収納庫４１（Ａ）の一時貯留領域部４７、一時貯留収納庫４１（Ｂ）の一時貯留領域部４７、一時貯留収納庫４１（Ｃ）の一時貯留領域部４７、一時貯留収納庫４１（Ｄ）の一時貯留領域部４７を順に満杯状態にするように、搬送路６１Ｃ，６１Ｄ，６１Ｅ，６１Ｆで搬送する。但し、一時貯留収納庫４１（Ａ）〜４１（Ｄ）の紙幣貯留の上記順番は一例であり、順番はこの順番に限らない。識別部３１の識別結果から、搬送異常の紙幣と、金種識別不能を含む結束対象金種以外の紙幣とについては、リジェクト紙幣として、図１３に太実線から太破線で示すように、搬送路６１Ａで収納カセット部５１に搬送する。
【０１３０】
制御部７１は、例えば、一時貯留収納庫４１（Ａ）の一時貯留領域部４７の満杯枚数（例えば５００枚）の結束対象金種の正常紙幣を識別部３１が識別した場合には、この満杯枚数までの結束対象金種の正常紙幣を一時貯留収納庫４１（Ａ）の一時貯留領域部４７に貯留させるとともに、この満杯枚数の次の結束対象金種の正常紙幣から、一時貯留収納庫４１（Ｂ）の一時貯留領域部４７に貯留させる。その後、一時貯留収納庫４１（Ｂ）の一時貯留領域部４７の満杯枚数（例えば５００枚）の結束対象金種の正常紙幣を識別部３１が識別した場合には、この満杯枚数までの結束対象金種の正常紙幣を一時貯留収納庫４１（Ｂ）の一時貯留領域部４７に貯留させるとともに、この満杯枚数の次の結束対象金種の正常紙幣から、一時貯留収納庫４１（Ｃ）の一時貯留領域部４７に貯留させる。同様にして、一時貯留収納庫４１（Ｃ）の一時貯留領域部４７が満杯状態になると、一時貯留収納庫４１（Ｄ）の一時貯留領域部４７に結束対象金種の正常紙幣を貯留させる。いずれの一時貯留領域部４７も、フラッパ４３を、待機位置から貯留する紙幣の量に応じて、開可能最下位置までの範囲で下降させることになり、フラッパ４３が開可能最下位置に下降すると満杯状態となる。
【０１３１】
ここで、単一金種手動指定結束モードのプール経由ルートでのローカル整理処理中において、入金部２０の紙幣がなくなると、制御部７１は、入金繰出部２４を停止させ、操作表示部７０にガイダンスを表示させて、操作者に、紙幣の追加セットの有無についての選択を促した後、操作表示部７０に紙幣の追加セット有りが選択入力された場合は、操作表示部７０に処理再開の指示操作が入力されると、ローカル整理処理を入金繰出部２４の駆動を含んで再開する。これにより、操作者が入金部２０に紙幣を順次追加投入することが可能になり、順次追加投入することによる大量入金の場合に、一時貯留収納庫４１（Ａ）〜４１（Ｄ）のすべての一時貯留領域部４７の収納容量の合算値に応じた紙幣量の入金に対応可能となる。
【０１３２】
図１４の太線は、単一金種手動指定結束モードのプール経由ルートの復路ルートを示している。往路ルートの搬送によって入金部２０の紙幣がなくなった状態で、操作表示部７０に紙幣の追加セットなしが選択入力された場合、および、往路ルートでの搬送によって入金部２０の紙幣がある状態で、一時貯留収納庫４１（Ａ）〜４１（Ｄ）のすべての一時貯留領域部４７が満杯状態になって入金繰出部２４を停止した場合、制御部７１は、一時貯留収納庫４１（Ａ）〜４１（Ｄ）の一時貯留領域部４７から、貯留している紙幣を順に繰り出させる。
【０１３３】
そして、繰り出した紙幣を、図１４に太実線で示すように、搬送路６１Ａで搬送して識別部３１で識別し、識別部３１で識別された正常紙幣を、表裏反転不要なら搬送路６１Ａ，６１Ｋ，６１Ｐ，６１Ｑで、表裏反転要なら搬送路６１Ａ，６１Ｎ，６１Ｍ，６１Ｋ，６１Ｐ，６１Ｑで、整列部３５，３６に、交互に結束単位枚数となるように搬送し、結束単位枚数になると昇降搬送部３７および結束部３８で結束して、束出金部３９に繰り出す。
【０１３４】
例えば、一時貯留収納庫４１（Ａ）の一時貯留領域部４７から紙幣を繰り出させ、この一時貯留領域部４７に紙幣がなくなると、一時貯留収納庫４１（Ｂ）の一時貯留領域部４７から紙幣を繰り出させ、この一時貯留領域部４７に紙幣がなくなると、一時貯留収納庫４１（Ｃ）の一時貯留領域部４７から紙幣を繰り出させ、この一時貯留領域部４７に紙幣がなくなると、一時貯留収納庫４１（Ｄ）の一時貯留領域部４７から紙幣を繰り出させる。一方、搬送異常や金種識別不良と識別されたリジェクト紙幣については、図１４に太実線から太破線で示すように、搬送路６１Ａ，６１Ｋで出金返却部２１に搬送する。このようにして、一時貯留収納庫４１（Ａ）〜４１（Ｄ）の一時貯留領域部４７に貯留していた紙幣を順次結束する。
【０１３５】
ここで、制御部７１は、往路ルートでの識別部３１の識別結果から、一時貯留収納庫４１（Ａ）〜４１（Ｄ）の一時貯留領域部４７に貯留している紙幣の全枚数を把握しており、この全枚数から、復路ルートでの搬送中に、出金返却部２１に搬送した搬送異常や金種識別不良のリジェクト紙幣の枚数を発生の都度減算していて、結束枚数に対し不足すると想定される端数の紙幣については、出金返却部２１に搬送することになる。
【０１３６】
すなわち、制御部７１には、１００枚の繰り出しで発生し得る搬送異常や金種識別不良のリジェクト紙幣の想定枚数が予め設定されて記憶されており、整列部３５に空の状態から集積される１００枚目の紙幣が識別部３１で識別されると、残りの紙幣枚数から想定枚数を減算して１００枚以上であれば、整列部３６に集積を行い、整列部３６に空の状態から集積される１００枚目の紙幣が識別部３１で識別されると、残りの紙幣枚数から想定枚数を減算して１００枚以上であれば、空の状態になった整列部３５に集積を行うという処理を順次行う。そして、整列部３５，３６のいずれかに集積される１００枚目の紙幣が識別部３１で識別された時点で、残りの紙幣枚数から想定枚数を減算して１００枚未満になると、その後に識別部３１で検出される紙幣については、出金返却部２１に搬送する。
【０１３７】
なお、上記した往路ルートでの処理によって入金部２０の紙幣がなくなって操作表示部７０に紙幣の追加セットなしが選択入力された場合の復路ルートの処理では、最後に、図１４に太一点鎖線、太実線および太破線で示すように、収納カセット部５１の紙幣を搬送路６１Ａ，６１Ｋで出金返却部２１に搬送することになる。他方、往路ルートでの処理によって一時貯留収納庫４１（Ａ）〜４１（Ｄ）のすべての一時貯留領域部４７が満杯状態になって入金繰出部２４を停止すると、復路ルートを行い、往路ルートでの処理によって入金部２０の紙幣がなくなって操作表示部７０に紙幣の追加セットなしが選択入力されるまで、このような往路ルートおよび復路ルートを交互に繰り返す。その後、最後の復路ルートの後に、図１４に太一点鎖線、太実線および太破線で示すように、収納カセット部５１の紙幣を搬送路６１Ａ，６１Ｋで出金返却部２１に搬送する。そして、単一金種手動指定結束モードのプール経由ルートでの処理の最後に、制御部７１は、束出金部３９および出金返却部２１のシャッタを開いて束出金部３９および出金返却部２１から束紙幣および紙幣を取り出し可能にする。
【０１３８】
ここで、リジェクト紙幣を出金返却部２１に搬送する場合に、識別部３１による識別の都度出金返却部２１に搬送すると、搬送ルートが交差している関係上、入金部２０の繰り出し動作を一時停止させる処理を伴うことになるが、上記のように、往路ルートでリジェクト紙幣を収納カセット部５１へ搬送し、入金部２０の紙幣の繰り出しが終了した後に、復路ルートで当該リジェクト紙幣を出金返却部２１に搬送することにより、処理時間を短縮することができる。また、リジェクト紙幣を収納カセット部５１に収納しておいて出金返却部２１に搬送するため、その取り出しに際して、ユニットを引き出す作業等を伴うことがなく、効率良く紙幣の返却ができる。
【０１３９】
単一金種手動指定結束モードのプール経由ルートでの処理の具体例を説明する。例えば、まず、往路ルートで、一時貯留収納庫４１（Ａ）の一時貯留領域部４７に５００枚、一時貯留収納庫４１（Ｂ）の一時貯留領域部４７に５００枚、一時貯留収納庫４１（Ｃ）の一時貯留領域部４７に２３５枚と、指定された結束対象金種の紙幣が全部で１２３５枚貯留されたものとする。すると、復路ルートでは、まず一時貯留収納庫４１（Ａ）の一時貯留領域部４７から紙幣を繰り出し、識別部３１で正常と識別された正常紙幣を整列部３５に結束単位枚数である１００枚集積させると、この１００枚の紙幣を昇降搬送部３７で搬送し、結束部３８で結束して、束出金部３９に繰り出させる。また、上記のように紙幣を整列部３５に１００枚集積させると、その後の正常紙幣を整列部３６に搬送する。そして、整列部３６に正常紙幣を１００枚集積させると、先行する整列部３５からの集積紙幣が結束済みであることを条件として、整列部３６の１００枚の紙幣を昇降搬送部３７で搬送し、結束部３８で結束して、束出金部３９に繰り出させる。このような作動を、正常紙幣の集積先を整列部３５，３６で交互に切り替えつつ繰り返す。識別部３１で異常搬送と識別された紙幣については、出金返却部２１に搬送する。
【０１４０】
以上のようにして、一時貯留収納庫４１（Ａ）の一時貯留領域部４７の紙幣がなくなると、次に、一時貯留収納庫４１（Ｂ）の一時貯留領域部４７から紙幣を繰り出し、上記に引き続き、識別部３１で正常と識別された正常紙幣を集積させて結束する。一時貯留収納庫４１（Ｂ）の一時貯留領域部４７の紙幣がなくなると、次に、一時貯留収納庫４１（Ｃ）の一時貯留領域部４７から紙幣を繰り出し、上記に引き続き、識別部３１で正常と識別された正常紙幣を集積させて結束する。
【０１４１】
ここで、具体例として、１１束の結束が可能な１１００枚の紙幣の整列部３５，３６への搬送が識別部３１で確定したところで、識別部３１での搬送異常や金種識別不良のリジェクト紙幣が例えば５枚発生していたとすれば、１２３５枚−１１００枚−５枚＝１３０枚となる。１３０枚に対して７枚が想定されるリジェクト紙幣枚数として設定されているものとすると、１３０枚−７枚＝１２３枚となり、１２３枚は１００枚以上であるため、制御部７１は１２束目の結束を行う。その際に、１００枚目の正常紙幣が識別部３１で識別されると、その後の２３枚の正常紙幣は出金返却部２１へ搬送することになる。他方、１１束の結束が可能な１１００枚の紙幣の整列部３５，３６への搬送が識別部３１で確定したところで、識別部３１での搬送異常や金種識別不良のリジェクト紙幣が例えば３５枚発生していたとすれば、１２３５枚−１１００枚−３５枚＝１００枚となり、１００枚に対して５枚が想定されるリジェクト紙幣枚数として設定されているものとすると、制御部７１は、１００枚−５枚＝９５枚で、９５枚は１００枚未満であるため、１２束目の結束を行わずに、残りの紙幣を出金返却部２１へ搬送することになる。
【０１４２】
なお、１１束分の紙幣を識別部３１で検出した時点で、１２束目の紙幣が不足する可能性がある場合に、一旦、一時貯留領域部４７からの紙幣の繰り出しを停止し、１２束目の結束を行うべきか否かの照会を操作表示部７０を介して操作者へ行い、操作表示部７０を介して選択させるようにしても良い。この結果に基づいて、１２束目の結束を行うべきとの入力があると、残りの紙幣を整列部３５，３６の対応するものへ搬送して、例え紙幣枚数が不足しても結束を行う。紙幣枚数が不足の場合、結束用の帯に紙幣不足を示す識別を施す。他方、１２束目の結束を行わないとの入力があると、残りの紙幣を出金返却部２１に搬送する。
【０１４３】
また上記制御に限定しなくても良い。例えば、１２束目の紙幣を整列部３５，３６の対応するものへ搬送するようにして、９５枚の紙幣しか集積できなかった、つまり、４０枚の紙幣がリジェクト紙幣として出金返却部２１へ搬送されたとしても、出金返却部２１へ返却された紙幣を再び入金部２０にセットさせるようにガイダンスで操作者へ誘導し、不足分の紙幣を取り込ませても良い。この時、４０枚分の結束対象金種の紙幣が入金部２０へ再投入されるが、すべてを一度に取り込まずに、不足分の５枚を繰り出した時点で繰り出しを一旦停止し、これら紙幣の識別部３１による識別結果に応じて追加で繰り出しを行うように制御して、余剰紙幣が発生しないようにしても良い。
【０１４４】
｛単一金種自動設定結束モードのダイレクトルート｝
操作表示部７０に単一金種自動設定結束モードのダイレクトルートが設定されると、制御部７１は、集積高検出センサ８１が紙幣を検出していて入金部２０に１束の結束単位枚数（１００枚）より多い紙幣がある場合には、第１実施形態のローカル整理処理と同様にして、入金部２０の紙幣の紙幣を搬送路６１Ａ，６１Ｊ，６１Ｇ，６１Ｈ，６１Ａで識別部３１に搬送する。そして、識別部３１が最初に識別した紙幣の金種を結束対象金種に設定する。その後は、単一金種手動指定結束モードのダイレクトルートと同様の制御となる。なお、集積高検出センサ８１が紙幣を検出していなければ、少数枚数であることを操作表示部７０で報知させて、同じモードの後述するプール経由ルートのみを選択可能にする。
【０１４５】
｛単一金種自動設定結束モードのプール経由ルート｝
操作表示部７０に単一金種自動設定結束モードのプール経由ルートが設定されると、制御部７１は、図１３に示すように、入金部２０から紙幣を繰り出し搬送路６１Ａで識別部３１に搬送する。そして、識別部３１が最初に識別した紙幣の金種を結束対象金種に設定する。その後は、単一金種手動指定結束モードのプール経由ルートと同様の制御となる。
【０１４６】
｛複数金種結束モード｝
図１３の太線は、複数金種結束モードの往路ルートをも示している。操作表示部７０に、第１結束対象金種（例えば万円券）、第２結束対象金種（例えば五千円券）、第３結束対象金種（例えば千円券）および第４結束対象金種（例えば二千円券）のうちの複数金種を含んで複数金種結束モードが設定されると、制御部７１は、図１３に太実線で示すように、入金部２０から紙幣を繰り出し搬送路６１Ａで識別部３１に搬送する。
【０１４７】
そして、識別部３１が紙幣を識別および計数することになり、制御部７１は、第１結束対象金種が設定されている場合、識別部３１で正常な第１結束対象金種と識別された正常紙幣を一時貯留収納庫４１（Ａ）の一時貯留領域部４７に、第２結束対象金種が設定されている場合、識別部３１で正常な第２結束対象金種と識別された正常紙幣を一時貯留収納庫４１（Ｂ）の一時貯留領域部４７に、第３結束対象金種が設定されている場合、識別部３１で正常な第３結束対象金種と識別された正常紙幣を一時貯留収納庫４１（Ｃ）の一時貯留領域部４７に、第４結束対象金種が設定されている場合、識別部３１で正常な第４結束対象金種と識別された正常紙幣を一時貯留収納庫４１（Ｄ）の一時貯留領域部４７に、搬送路６１Ａ，６１Ｃ，６１Ｄ，６１Ｅ，６１Ｆで搬送する。ここで、いずれの一時貯留領域部４７も、一時貯留する紙幣の量に応じて、フラッパ４３を待機位置から開可能最下位置までの範囲で下降させる。識別部３１によって、搬送異常の紙幣と、金種識別不能を含む結束対象金種以外の紙幣とについては、リジェクト紙幣として、搬送路６１Ａで収納カセット部５１に搬送する。例えば、第１〜第４の結束対象金種のうち第１，第２の結束対象金種が選択設定されると、第１の結束対象金種の正常紙幣を一時貯留収納庫４１（Ａ）の一時貯留領域部４７に、第２の結束対象金種の正常紙幣を一時貯留収納庫４１（Ｂ）の一時貯留領域部４７に搬送し、他の金種の紙幣は収納カセット部５１に搬送する。
【０１４８】
ここで、一時貯留収納庫４１（Ａ）〜４１（Ｄ）のいずれにおいても一時貯留領域部４７には、満杯枚数よりも少ない範囲で、結束単位枚数である１００枚の整数倍＋余裕枚数の最大枚数を貯留すると、それ以降の同一金種の正常紙幣は、搬送路６１Ａで収納カセット部５１に搬送する。例えば、第１の結束対象金種を貯留する一時貯留領域部４７の満杯枚数が５２０枚で、余裕枚数が１０枚に設定されている場合、１００×５＋１０の５１０枚の第１の結束対象金種の正常紙幣を識別部３１で検出すると、それ以降の第１の結束対象金種は搬送路６１Ａで収納カセット部５１に搬送する。
【０１４９】
ここで、複数金種結束モードでのローカル整理処理中においても、入金部２０の紙幣がなくなると、制御部７１は、入金繰出部２４を停止させ、操作表示部７０にガイダンスを表示させて、操作者に、紙幣の追加セットの有無についての選択を促した後、操作表示部７０に紙幣の追加セット有りが選択入力された場合は、操作表示部７０に処理再開の指示操作が入力されると、ローカル整理処理を入金繰出部２４の駆動を含んで再開する。
【０１５０】
図１４の太線は、複数金種結束モードの復路ルートをも示している。往路ルートでの搬送によって入金部２０の紙幣がなくなった状態で、操作表示部７０に紙幣の追加セットなしが選択入力された場合、および、一時貯留収納庫４１（Ａ）〜４１（Ｄ）のうち結束対象金種として選択設定されたものの一時貯留領域部４７が満杯状態になって入金繰出部２４を停止した場合は、制御部７１が、一時貯留収納庫４１（Ａ）〜４１（Ｄ）の一時貯留領域部４７から、所定の順番で、貯留している紙幣を取込繰出部４２によって繰り出させる。
【０１５１】
そして、繰り出した紙幣を、図１４に太実線で示すように、搬送路６１Ｃ〜６１Ｆのうちの対応するものと搬送路６１Ａとで搬送して識別部３１に搬送する。識別部３１では識別および計数を行い、識別部３１で正常と識別された正常紙幣を、上記と同様に、表裏反転不要なら搬送路６１Ａ，６１Ｋ，６１Ｐ，６１Ｑで、表裏反転要なら搬送路６１Ａ，６１Ｎ，６１Ｍ，６１Ｋ，６１Ｐ，６１Ｑで、整列部３５，３６に搬送し、昇降搬送部３７および結束部３８で結束して、束出金部３９に繰り出す。一方、識別部３１での搬送異常や金種識別不良のリジェクト紙幣については、図１４に太実線から太破線で示すように、搬送路６１Ａ，６１Ｋで出金返却部２１に搬送する。このようにして、一時貯留収納庫４１（Ａ）〜４１（Ｄ）の一時貯留領域部４７に貯留している紙幣を金種別に順次結束する。
【０１５２】
ここで、制御部７１は、往路ルートでの識別部３１の識別結果から、一時貯留収納庫４１（Ａ）〜４１（Ｄ）のそれぞれの一時貯留領域部４７に貯留していた紙幣の枚数を把握しており、各枚数から、復路ルートでの搬送中に、出金返却部２１に搬送したリジェクト紙幣の枚数を発生の都度減算していて、結束枚数に対し不足すると想定される端数の紙幣については、出金返却部２１に搬送することになる。
【０１５３】
すなわち、制御部７１には、１００枚の繰り出しで発生し得るリジェクト紙幣の想定枚数が予め設定されて記憶されており、一時貯留収納庫４１（Ａ）の一時貯留領域部４７から繰り出され整列部３５に空の状態から集積される１００枚目の第１の結束対象金種の紙幣が識別部３１で識別されると、残りの第１の結束対象金種の紙幣枚数から想定枚数を減算して１００枚以上であれば、整列部３６に集積を行い、整列部３６に空の状態から集積される１００枚目の第１の結束対象金種の紙幣が識別部３１で識別されると、残りの第１の結束対象金種の紙幣枚数から想定枚数を減算して１００枚以上であれば、空の状態になった整列部３５に集積を行うという判断処理を順次行う。そして、整列部３５，３６のいずれかに集積される１００枚目の紙幣が識別部３１で識別された時点で、残りの紙幣枚数から想定枚数を減算して１００枚未満になると、その後に識別部３１で検出される紙幣については、出金返却部２１に搬送する。
【０１５４】
一時貯留収納庫４１（Ｂ）の一時貯留領域部４７の紙幣についても同様にして結束を行う。一時貯留収納庫４１（Ｃ）の一時貯留領域部４７の紙幣についても同様にして結束を行う。一時貯留収納庫４１（Ｄ）の一時貯留領域部４７の紙幣についても同様にして結束を行う。
【０１５５】
なお、上記した往路ルートでの処理によって入金部２０の紙幣がなくなって操作表示部７０に紙幣の追加セットなしが選択入力された場合の復路ルートの処理では、最後に、図１４に太一点鎖線、太実線および太破線で示すように、収納カセット部５１の紙幣を搬送路６１Ａ，６１Ｋで出金返却部２１に搬送することになる。他方、往路ルートでの処理によって一時貯留収納庫４１（Ａ）〜４１（Ｄ）のいずれかの一時貯留領域部４７が満杯状態になって入金繰出部２４を停止すると、復路ルートを行い、往路ルートでの処理によって入金部２０の紙幣がなくなって操作表示部７０に紙幣の追加セットなしが選択入力されるまで、このような往路ルートおよび復路ルートを交互に繰り返す。その後、最後の復路ルートの後に、図１４に太一点鎖線、太実線および太破線で示すように、収納カセット部５１の紙幣を搬送路６１Ａ，６１Ｋで出金返却部２１に搬送する。そして、複数金種結束モードでの処理の最後に、制御部７１は、束出金部３９および出金返却部２１のシャッタを開いて束出金部３９および出金返却部２１から束紙幣および紙幣を取り出し可能にする。
【０１５６】
ここで、上記したように、往路ルートでの処理時に、例えば、第１の結束対象金種を貯留する一時貯留領域部４７の満杯枚数が５２０枚で、余裕枚数が１０枚の場合、１００×５＋１０の５１０枚の正常紙幣を識別部３１で検出すると、それ以降の第１の結束対象金種の紙幣は搬送路６１Ａで収納カセット部５１に搬送する。この場合、復路ルートでの処理時に、この一時貯留領域部４７から繰り出される紙幣にリジェクト紙幣が２枚発生すれば、残りの８枚の紙幣が収納カセット部５１に搬送されることになる。よって、結束後に収納カセット部５１に搬送される紙幣の紙幣量を抑制することができ、処理効率低下を抑制することができる。
【０１５７】
第２実施形態によれば、入金部２０に集積高検出センサ８１が設けられているため、ローカル整理処理を行う際に、処理開始前または処理途中で、束紙幣にならない端数枚の紙幣の発生が予測できる。そして、入金部２０にセットした紙幣の高さを監視する集積高検出センサ８１の検出結果に基づいて、搬送先を切り替えるなどの制御が可能となる結果、端数枚の紙幣を整列部３５，３６へ残留させずに、取り出し容易な出金返却部２１へ搬送することが可能となる。したがって、整列部３５，３６の端数紙幣を回収するためのユニット引き出し等が不要となるため、手間を削減することができ、作業効率を向上させることができる。
【０１５８】
＜第３実施形態＞
本発明に係る第３実施形態の紙幣処理機を、第１実施形態との相違部分を中心に説明する。
【０１５９】
第３実施形態では、出金リジェクト庫２２に収納される紙幣を少なくするために、第１実施形態とは一部異なるバラ紙幣出金処理を行う。すなわち、バラ紙幣出金処理において、往路ルートとして、図１５に太実線で示すように、一時貯留収納庫４１（Ａ）〜４１（Ｄ）の収納領域部４８から第１実施形態と同様に紙幣を繰り出して、識別部３１で識別することになり、識別部３１で正常と識別された正常紙幣は第１実施形態と同様に出金返却部２１に搬送する。他方、識別部３１が搬送異常と識別したり、金種識別不良と識別した、正常紙幣以外のリジェクト紙幣のうち、分配不可と識別した紙幣については、図１５に太実線から太破線で示すように、搬送路６１Ａ，６１Ｋ，６１Ｌによって出金リジェクト庫２２に搬送し、識別部３１で分配可能と識別したリジェクト紙幣については、図１５に太実線から太一点鎖線で示すように、搬送路６１Ａ，６１Ｇ，６１Ａによって収納カセット部５１に収納する。言い換えれば、バラ紙幣出金処理の出金動作で発生したリジェクト紙幣を、リジェクト要因に応じて、分配可能なリジェクト紙幣と分配不可なリジェクト紙幣とに分け、それぞれの往路ルートでの搬送先を変える。
【０１６０】
具体的に、重送、斜行あるいはニアフィード等の搬送異常の紙幣は、収納カセット部５１へ搬送して集積させようとした場合に集積不良を起こす可能性があるため、分配不可なリジェクト紙幣として出金リジェクト庫２２へ搬送する。搬送異常以外の紙幣、すなわち金種が識別できない金種識別不良の紙幣は、収納カセット部５１で集積不良を起こす可能性が低いため、分配可能なリジェクト紙幣として収納カセット部５１へ搬送する。なお、金種識別不良のリジェクト紙幣は、再び識別部３１で識別すれば金種識別が可能となる可能性がある。
【０１６１】
そして、入力された金種別の出金枚数の正常紙幣を、出金返却部２１に繰り出すと、制御部７１は、復路ルートとして、収納カセット部５１に収納した分配可能なリジェクト紙幣を、図４に太線で示す第２収納処理の紙幣搬送ルートと同じルート、すなわち搬送路６１Ａ，６１Ｇ，６１Ａで識別部３１に搬送し、識別部３１で識別をリトライさせる。このリトライ結果に基づいて、金種識別ができた正常紙幣については、搬送路６１Ａ，６１Ｃ〜６１Ｆの対応するものによって、一時貯留収納庫４１（Ａ）〜４１（Ｄ）の対応するものに搬送する。このとき、一時貯留収納庫４１（Ａ）〜４１（Ｄ）では、フラッパ４３が開状態とされており、搬送されてきた紙幣をフラッパ４３が開状態の一時貯留領域部４７を介して収納領域部４８に収納する。
【０１６２】
ここでも、第２収納処理と同様に、収納カセット部５１から繰り出された紙幣のうち、識別部３１での識別のリトライで搬送異常あるいは金種識別不良と識別したリジェクト紙幣については、収納カセット部５１からの紙幣の繰り出しを適宜停止させた状態で、図４に太実線および太破線で示すように、搬送路６１Ａ，６１Ｈ，６１Ｇ，６１Ｍ，６１Ｋ，６１Ｌによって出金リジェクト庫２２に搬送する。
【０１６３】
以上により、出金リジェクト庫２２に収納される紙幣の量を減らすことができる。よって、出金リジェクト庫２２に収納される結果、再度入金部２０に投入されて識別および計数を行わせる必要が生じる紙幣が減り、作業時間の短縮となる。
【０１６４】
収納カセット部５１からの分配動作で生じるリジェクト紙幣の低減策として、識別部３１での識別のリトライで搬送異常と識別したリジェクト紙幣については、出金リジェクト庫２２に収納するものの、金種識別不良と識別した紙幣については、収納カセット部５１からの紙幣の繰り出しを適宜停止させながら、搬送路６１Ａ，６１Ｈ，６１Ｇ，６１Ａで再度識別部３１に搬送し、識別のリトライを複数回繰り返すようにしても良い。
【０１６５】
その際には、収納カセット部５１から繰り出され識別部３１で識別された後、次の識別のリトライを行わずに出金リジェクト庫２２に収納する搬送異常の紙幣に対し、その後続の紙幣については、識別部３１での次の識別のリトライを行うことになるが、直ちに識別部３１へ搬送せずに、一旦、収納カセット部５１へ搬送後、再度繰り出して識別部３１へ搬送する場合がある。例えば、搬送異常の紙幣がニアフィードの２枚の紙幣である場合に、その後続の３枚目以降の紙幣については、一旦、収納カセット部５１へ搬送後、再度繰り出して識別部３１へ搬送する。このように制御するのは、現金違算防止の理由からである。すなわち、紙幣搬送中の金種情報管理は、順列で行っており、例えば、ニアフィードが発生した場合、ニアフィードの紙幣２枚を１枚と誤検知することで金種情報の順列と実際の紙幣の順列とに差が生じ、現金違算を誘発する可能性が生じる。よって一旦搬送部６１を、紙幣をなくしたクリアな状態としてから、識別部３１での識別の次のリトライを行わせる。
【０１６６】
上記のように、一旦搬送部６１を紙幣がないクリアな状態とするために、後続紙幣（３枚目以降の紙幣）を収納カセット部５１へ収納する場合には、直ちに収納カセット部５１へ収納するのが好ましいが、収納カセット部５１は、エレベータ５３が上昇した繰り出し可能な状態であり、紙幣を受け入れる準備ができていない。収納カセット部５１が紙幣を受け入れ可能となるまでの間、紙幣を待機させておくため、当該紙幣を、図１６に太実線で示す搬送路６１Ａ，６１Ｈ，６１Ｇのループ状の紙幣搬送ルートで搬送させ続ける。具体的には、紙幣をこの搬送部６１のループ状の紙幣搬送ルートで２周ほど搬送させると、収納カセット部５１に紙幣の受け入れ準備を整わせるための時間を稼ぐことができる。このように制御することで、紙幣の退避場所としての収納庫を別途用意する必要がなくなって、コスト削減および省スペース化が図れる。また退避場所としての収納庫に収納したり収納庫から繰り出す必要がないため、これらの動作に伴うジャムの発生がなく、処理時間も短縮できて、作業効率を向上させることができる。
【０１６７】
なお、上記のように搬送部６１のループ状の紙幣搬送ルート上で搬送しながら紙幣を待機させる制御に限らず、識別リトライと判断された紙幣の以前に正常に識別された正常紙幣を、所定の一時貯留領域部４７に収納した後に、搬送部６１のループ状の紙幣搬送ルートによる搬送自体を停止させて待機しても良い。そして、収納カセット部５１の受入準備ができると、搬送部６１のループ状の紙幣搬送ルートによる搬送を再開させて、待機中の紙幣を収納カセット部５１に収納する。
【０１６８】
ここで、一時貯留収納庫４１（Ａ）〜４１（Ｄ）および収納カセット部５１において、繰り出し直後に搬送状態を検出するセンサを設け、繰り出し直後に斜行状態が検出された紙幣については、直ちに逆転搬送を行って、繰り出し元に戻して、繰り出しリトライ動作を行わせるようにしても良い。これによっても、出金リジェクト庫２２に収納される紙幣の量を低減できる。
【０１６９】
以上の実施形態を、以下の変形例１〜６のように変更することが可能である。
【０１７０】
［変形例１］  
４カ所の一時貯留収納庫４１（Ａ）〜４１（Ｄ）と１カ所の収納カセット部５１とについて、入金処理において、一時貯留収納庫４１（Ａ）〜４１（Ｄ）のうちの一つの一時貯留領域部４７を、特定一金種の紙幣の全部および残り全金種のオーバーフロー紙幣の混合金種一時貯留用の一括一時貯留部とする。例えば、市場流通量が少ない特定一金種（例えば二千円券）用の収納領域部４８を有する一時貯留収納庫４１（Ｄ）の一時貯留領域部４７を、この金種の紙幣の全部と他の全金種のオーバーフロー紙幣の一時貯留用とする。また、収納カセット部５１をリジェクト紙幣の一時貯留用とする。
【０１７１】
このように構成すれば、図２に太実線で示すルートでの入金処理中に、識別部３１で識別された前記特定一金種の紙幣の全部および残り全金種のオーバーフロー紙幣を搬送路６１Ａ，６１Ｆで一時貯留収納庫４１（Ｄ）の一時貯留領域部４７に一時貯留し、また、識別部３１で識別されたリジェクト紙幣を、搬送路６１Ａで収納カセット部５１に一時貯留する。これにより、入金部２０から識別部３１に向けての紙幣の搬送中にリジェクト紙幣を出金返却部２１に搬送する必要がなくなり、入金処理の最後に纏めて、収納カセット部５１のリジェクト紙幣を出金返却部２１に搬送できる。よって、識別部３１で識別されたリジェクト紙幣を出金返却部２１に搬送するために、入金部２０の繰り出しを途中で中断する必要がなくなる。
【０１７２】
すなわち、入金部２０より取り込まれて識別部３１に向かう搬送路６１Ａの紙幣搬送ルートと、識別部３１から出金返却部２１へ向かう搬送路６１Ａ，６１Ｈ，６１Ｇ，６１Ａ，６１Ｍ，６１Ｋの紙幣搬送ルートとが一部交差している構成であっても、リジェクト紙幣が発生する都度タイミングをみて入金部２０からの紙幣の取り込みを停止させるという制御を行うことがなくなり、リジェクト紙幣を一旦収納カセット部５１へ搬送後、収納カセット部５１から纏めて出金返却部２１へ連続的に搬送させることが可能になる。その結果、入金取り込み時に入金繰出部２４が間欠動作を行わないため、作業効率が上がる。しかも、補充・回収用の収納カセット部５１を、補充・回収用途以外で、リジェクト紙幣の一時貯留用に活用することで、専用収納庫（リジェクト紙幣の一時貯留庫）を省くことが可能になり、省スペース・低コストになる。
【０１７３】
変形例１では、入金キャンセル時の返却処理においては、第１実施形態と同様の図５に太線で示すルートで、一時貯留収納庫４１（Ａ）〜４１（Ｄ）の一時貯留領域部４７および収納カセット部５１のすべての紙幣を出金返却部２１に繰り出すことになる。
【０１７４】
また、入金確定時の第１収納処理においては、金種別の一時貯留収納庫４１（Ａ）〜４１（Ｃ）の一時貯留領域部４７から紙幣を、図３に太線で示す第１収納処理と同様のルートで、それぞれの直下の収納領域部４８に収納する際に、これと並行して、金種混合の一時貯留収納庫４１（Ｄ）の一時貯留領域部４７の紙幣を、図９に太線で示す回収処理と同様のルートで、搬送路６１Ｆ，６１Ａ，６１Ｇ，６１Ａによって収納カセット部５１に送り込む。そして、一時貯留収納庫４１（Ｄ）の一時貯留領域部４７が空になると、今度は、図４に太線で示す第２収納処理と同様のルートで、搬送路６１Ａ，６１Ｇ，６１Ａ，６１Ｃ〜６１Ｆによって収納カセット部５１からの分配処理を行う。これにより、一時貯留収納庫４１（Ｄ）の収納領域部４８に収納すべき金種の紙幣と、一時貯留収納庫４１（Ａ）〜４１（Ｃ）の一時貯留領域部４７に貯留できなかったオーバーフロー紙幣とを、一時貯留収納庫４１（Ａ）〜４１（Ｄ）の対応するものの収納領域部４８に、フラッパ４３が開状態の一時貯留領域部４７を介して分配収納することができる。なお、変形例１においては、一時貯留収納庫４１（Ａ）〜４１（Ｄ）のいずれの一時貯留領域部４７を、オーバーフロー紙幣の一時貯留用の一括一時貯留部に設定することも可能である。
【０１７５】
［変形例２］  
４カ所の一時貯留収納庫４１（Ａ）〜４１（Ｄ）と１カ所の収納カセット部５１とについて、入金処理において、一時貯留収納庫４１（Ａ）〜４１（Ｄ）のうちの一つの一時貯留領域部４７をリジェクト紙幣専用の一時貯留用とする。例えば、市場流通量が少ない特定一金種（二千円券）用の収納領域部４８を有する一時貯留収納庫４１（Ｄ）の一時貯留領域部４７のみを、リジェクト紙幣専用の一時貯留用とする。また、この一時貯留収納庫４１（Ｄ）の収納領域部４８に収容する前記特定一金種の紙幣については、入金処理においては、オーバーフロー紙幣の収納用の一括一時貯留部としての収納カセット部５１に一時貯留する。
【０１７６】
このように構成すれば、図２に太実線で示すルートでの入金処理中に、識別部３１で識別された前記特定一金種の紙幣の全部および残り全金種のオーバーフロー紙幣を搬送路６１Ａで収納カセット部５１に一時貯留し、また、識別部３１で識別されたリジェクト紙幣を搬送路６１Ａ，６１Ｆで一時貯留収納庫４１（Ｄ）の一時貯留領域部４７に貯留する。これにより、入金部２０から識別部３１に向けての紙幣の搬送中にリジェクト紙幣を出金返却部２１に搬送する必要がなくなり、入金処理の最後に纏めて、一時貯留収納庫４１（Ｄ）の一時貯留領域部４７のリジェクト紙幣を、図５に太線で示す返却処理と同様のルートで、搬送路６１Ｆ，６１Ａ，６１Ｋによって出金返却部２１に搬送できる。よって、変形例１と同様、識別部３１で識別されたリジェクト紙幣を出金返却部２１に搬送するために、入金部２０の繰り出しを途中で中断する必要がなくなる。
【０１７７】
変形例２においても、入金キャンセル時の返却処理では、第１実施形態と同様の図５に太線で示すルートで、一時貯留収納庫４１（Ａ）〜４１（Ｄ）の一時貯留領域部４７および収納カセット部５１のすべての紙幣を出金返却部２１に繰り出すことになる。
【０１７８】
また、入金確定時の第１収納処理においては、金種別の一時貯留収納庫４１（Ａ）〜４１（Ｃ）の一時貯留領域部４７から紙幣を、図３に太線で示す第１収納処理と同様のルートで、それぞれの直下の収納領域部４８に収納した後に、図４に太線で示す第２収納処理と同様のルートで、搬送路６１Ａ，６１Ｇ，６１Ａ，６１Ｃ〜６１Ｆによって収納カセット部５１からの分配処理を行う。これにより、一時貯留収納庫４１（Ｄ）の収納領域部４８に収納すべき金種の紙幣と、一時貯留収納庫４１（Ａ）〜４１（Ｃ）の一時貯留領域部４７に貯留できなかったオーバーフロー紙幣とを、一時貯留収納庫４１（Ａ）〜４１（Ｄ）の対応するものの収納領域部４８に、フラッパ４３が開状態の一時貯留領域部４７を介して分配収納することができる。なお、変形例２においては、一時貯留収納庫４１（Ａ）〜４１（Ｄ）のいずれの一時貯留領域部４７を、リジェクト紙幣の一時貯留用の一時貯留部に設定することも可能である。変形例２によれば、収納カセット部５１がオーバーフロー紙幣の一時貯留用なので、入金処理時に大量のオーバーフロー紙幣の一時貯留が可能となる。
【０１７９】
［変形例３］  
４カ所の一時貯留収納庫４１（Ａ）〜４１（Ｄ）と１カ所の収納カセット部５１とについて、一時貯留収納庫４１（Ａ）〜４１（Ｄ）のうちの一つを、特定一金種の紙幣の全部および残り全金種のオーバーフロー紙幣の一時貯留用の一括一時貯留部とし、さらにこれら紙幣の収納用とする。また、収納カセット部５１をリジェクト紙幣の一時貯留用とする。
【０１８０】
このように構成すれば、図２に太実線で示すルートでの入金処理中に、識別部３１で識別された前記特定一金種の紙幣の全部および残り全金種のオーバーフロー紙幣を搬送路６１Ａ，６１Ｃ〜６１Ｆで、一時貯留収納庫４１（Ａ）〜４１（Ｄ）のうちの対応するものの一時貯留領域部４７に一時貯留し、また、識別部３１で識別されたリジェクト紙幣を、搬送路６１Ａで収納カセット部５１に一時貯留する。これにより、入金部２０から識別部３１に向けての紙幣の搬送中にリジェクト紙幣を出金返却部２１に搬送する必要がなくなり、入金処理の最後に纏めて、収納カセット部５１のリジェクト紙幣を出金返却部２１に搬送できる。よって、変形例１と同様、識別部３１で識別されたリジェクト紙幣を出金返却部２１に搬送するために、入金部２０の繰り出しを途中で中断する必要がなくなる。
【０１８１】
変形例３では、入金処理後の収納処理において、一時貯留収納庫４１（Ａ）〜４１（Ｄ）の一時貯留領域部４７から紙幣を、図３に太線で示す第１収納処理と同様のルートで、それぞれの直下の収納領域部４８に収納する。これにより、収納処理時間を短くすることができる。なお、一時貯留収納庫４１（Ａ）〜４１（Ｄ）のいずれを、前記特定一金種の紙幣の全部および残り全金種のオーバーフロー紙幣の一時貯留および収納用に設定することも可能である。
【０１８２】
例えば、一時貯留収納庫４１（Ｄ）を市場流通量が少ない第４金種の紙幣（例えば二千円券）の全部および残り全金種のオーバーフロー紙幣の一時貯留用および収納用とする。すなわち、一時貯留収納庫４１（Ｄ）の一時貯留領域部４７を第４金種の紙幣の全部および残り全金種のオーバーフロー紙幣の一時貯留用の一括一時貯留領域部とし、一時貯留収納庫４１（Ｄ）の収納領域部４８を第４金種の紙幣の全部および残り全金種のオーバーフロー紙幣の収納用の一括収納領域部とする。また、一時貯留収納庫４１（Ａ）を第１金種（例えば万円券）用の一時貯留および収納用とし、一時貯留収納庫４１（Ｂ）を第２金種（例えば五千円券）用の一時貯留および収納用とし、一時貯留収納庫４１（Ｃ）を第３金種（例えば千円券）用の一時貯留および収納用とし、収納カセット部５１をリジェクト紙幣の一時貯留用として、図２に太実線で示すルートで入金処理を行う。
【０１８３】
変形例３においても、入金キャンセル時の返却処理では、第１実施形態と同様の図５に太線で示すルートで、一時貯留収納庫４１（Ａ）〜４１（Ｄ）の一時貯留領域部４７および収納カセット部５１のすべての紙幣を出金返却部２１に繰り出すことになる。
【０１８４】
また、入金確定時の収納処理においては、金種別の一時貯留収納庫４１（Ａ）〜４１（Ｄ）の一時貯留領域部４７に貯留した紙幣をフラッパ４３を開状態として直下の収納領域部４８に収納させる。これにより、一時貯留収納庫４１（Ｄ）には、前記特定一金種の紙幣の全部および残り全金種のオーバーフロー紙幣が収納領域部４８に収納される。このように、入金確定時に、一時貯留収納庫４１（Ｄ）の一時貯留領域部４７にオーバーフロー紙幣がある場合には、このオーバーフロー紙幣を、一時貯留領域部４７からそのフラッパ４３を開状態として直下の収納領域部４８に収納させるため、入金確定時の収納処理の処理時間をさらに短縮可能となる。
【０１８５】
あるいは、一時貯留収納庫４１（Ａ）〜４１（Ｄ）のうちの一つを、オーバーフロー紙幣専用の一時貯留および収納用としても良い。なお、一時貯留収納庫４１（Ａ）〜４１（Ｄ）のいずれをオーバーフロー紙幣専用の一時貯留および収納用に設定することも可能である。例えば、一時貯留収納庫４１（Ｄ）をオーバーフロー紙幣専用の一時貯留および収納用とし、一時貯留収納庫４１（Ａ）を第１金種（例えば万円券）用の一時貯留および収納用とし、一時貯留収納庫４１（Ｂ）を第３金種（例えば千円券）用の一時貯留および収納用とし、一時貯留収納庫４１（Ｃ）を第２，第４金種（例えば五千円券および二千円券）用の一時貯留および収納用とする。また、収納カセット部５１をリジェクト紙幣の一時貯留用とする。
【０１８６】
この場合も、入金処理の最後に纏めて、収納カセット部５１のリジェクト紙幣を出金返却部２１に搬送することになり、返却処理時には、第１実施形態と同様にして、一時貯留収納庫４１（Ａ）〜４１（Ｄ）の一時貯留領域部４７および収納カセット部５１のすべての紙幣を出金返却部２１に繰り出すことになる。また、入金確定時には、収納処理として、一時貯留収納庫４１（Ａ）〜４１（Ｄ）の一時貯留領域部４７のそれぞれのフラッパ４３を開状態として、一時貯留領域部４７のそれぞれの紙幣をそれぞれの直下の収納領域部４８に収納する。
【０１８７】
あるいは、一時貯留収納庫４１（Ａ）〜４１（Ｄ）のうちの一つを、特定の複数金種の紙幣の全部および残り全金種のオーバーフロー紙幣の一時貯留および収納用としても良い。なお、一時貯留収納庫４１（Ａ）〜４１（Ｄ）のいずれを、特定の複数金種の紙幣の全部および残り全金種のオーバーフロー紙幣用に設定することも可能である。例えば、一時貯留収納庫４１（Ｄ）を、第２，第４金種の紙幣（例えば五千円券および二千円券）の全部および残り全金種のオーバーフロー紙幣の一時貯留および収納用とし、一時貯留収納庫４１（Ａ）を第１金種（例えば万円券）用の一時貯留および収納用とし、一時貯留収納庫４１（Ｂ）を第１金種（例えば万円券）用の一時貯留および収納用とし、一時貯留収納庫４１（Ｃ）を第３金種（例えば千円券）用の一時貯留および収納用とする。また、収納カセット部５１をリジェクト紙幣の一時貯留用とする。
【０１８８】
この場合も、入金処理の最後に纏めて、収納カセット部５１のリジェクト紙幣を出金返却部２１に搬送することになり、返却処理時には、第１実施形態と同様にして、一時貯留収納庫４１（Ａ）〜４１（Ｄ）の一時貯留領域部４７および収納カセット部５１のすべての紙幣を出金返却部２１に繰り出すことになる。また、入金確定時には、収納処理として、一時貯留収納庫４１（Ａ）〜４１（Ｄ）の一時貯留領域部４７のそれぞれのフラッパ４３を開状態として、一時貯留領域部４７のそれぞれの紙幣をそれぞれの直下の収納領域部４８に収納する。
【０１８９】
［変形例４］  
４カ所の一時貯留収納庫４１（Ａ）〜４１（Ｄ）と１カ所の収納カセット部５１とについて、一時貯留収納庫４１（Ａ）〜４１（Ｄ）のうちの一つの一時貯留領域部４７をリジェクト紙幣の一時貯留用とし、この一時貯留領域部４７の直下の収納領域部４８を特定一金種の紙幣の全部および残り全金種のオーバーフロー紙幣の収納用とする。また、収納カセット部５１を前記特定一金種の紙幣の全部および残り全金種のオーバーフロー紙幣の一時貯留用の一括一時貯留部とする。
【０１９０】
このように構成すれば、図２に太実線で示すルートでの入金処理中に、識別部３１で識別されたリジェクト紙幣を搬送路６１Ａ，６１Ｃ〜６１Ｆで、一時貯留収納庫４１（Ａ）〜４１（Ｄ）のうちのリジェクト紙幣用の一つの一時貯留領域部４７に一時貯留し、また、識別部３１で識別された前記特定一金種の紙幣の全部および残り全金種のオーバーフロー紙幣を搬送路６１Ａで収納カセット部５１に一時貯留する。これにより、入金部２０から識別部３１に向けての紙幣の搬送中にリジェクト紙幣を出金返却部２１に搬送する必要がなくなり、入金処理の最後に纏めて、図５に太線で示す返却処理と同様のルートで収納カセット部５１のリジェクト紙幣を出金返却部２１に搬送できる。よって、識別部３１で識別されたリジェクト紙幣を出金返却部２１に搬送するために、入金部２０の繰り出しを途中で中断する必要がなくなる。
【０１９１】
例えば、市場流通量が少ない第４金種の紙幣（例えば二千円券）の全部および残り全金種のオーバーフロー紙幣の収納用の収納領域部４８を有する一時貯留収納庫４１（Ｄ）の一時貯留領域部４７をリジェクト紙幣の一時貯留用とし、収納カセット部５１を市場流通量が少ない第４金種の紙幣の全部および残り全金種のオーバーフロー紙幣の一時貯留用として図２に太実線で示すルートで入金処理を行う。そして、入金処理の最後に、一時貯留収納庫４１（Ｄ）の一時貯留領域部４７のリジェクト紙幣を出金返却部２１に搬送する。
【０１９２】
変形例４では、入金キャンセル時の返却処理においては、第１実施形態と同様の図５に太線で示すルートで、一時貯留収納庫４１（Ａ）〜４１（Ｄ）の一時貯留領域部４７および収納カセット部５１のすべての紙幣を出金返却部２１に繰り出すことになる。
【０１９３】
また、入金処理後の第１収納処理において、金種別の一時貯留収納庫４１（Ａ）〜４１（Ｃ）の一時貯留領域部４７から紙幣を、図３に太線で示すルートで、それぞれの直下の収納領域部４８に収納する。そして、この第１収納処理と並行して、第２収納処理を行い、図４に太線で示すルートで、搬送路６１Ａ，６１Ｇ，６１Ａ，６１Ｆによって収納カセット部５１の前記特定一金種の紙幣の全部および残り全金種のオーバーフロー紙幣を、一時貯留収納庫４１（Ｄ）の金種混合の収納領域部４８にフラッパ４３が開状態の一時貯留領域部４７を介して収納する。このとき、既に入金確定しているので、リジェクト相当の紙幣があっても、強制的に一時貯留収納庫４１（Ｄ）の収納領域部４８に収納させて良い。なお、一時貯留収納庫４１（Ａ）〜４１（Ｄ）のいずれを、リジェクト紙幣の一時貯留用であって、前記特定一金種の紙幣の全部および残り全金種のオーバーフロー紙幣の収納用に設定することも可能である。
【０１９４】
［変形例５］  
搬送路６１Ａから分岐する搬送路６１Ｃ〜６１Ｆのそれぞれの分岐ゲートを、搬送路６１Ａ上で識別部３１から収納カセット部５１に向かう紙幣を搬送路６１Ｃ〜６１Ｆのそれぞれ対応するものに導入する第１実施形態と同様の振り分けに加えて、搬送路６１Ａ上で収納カセット部５１から識別部３１に向かう紙幣を搬送路６１Ｃ〜６１Ｆのそれぞれ対応するものに導入する振り分けが可能な３方向ゲートで構成する。これにより、図１７に太線で示すように、収納カセット部５１から繰り出した紙幣を、搬送路６１Ａから搬送路６１Ｃ〜６１Ｆで、識別部３１を介することなく、金種別の一時貯留収納庫４１（Ａ）〜４１（Ｄ）に振り分けて収納することができる。
【０１９５】
このように構成すれば、第１実施形態で述べた搬送ルートに加えて、例えば収納カセット部５１に一時貯留したオーバーフロー紙幣の金種が単一金種の場合の第２収納処理の動作の際に、収納カセット部５１から識別部３１で識別せずに直接、金種別の一時貯留収納庫４１（Ａ）〜４１（Ｄ）の対応するものに搬送することができる。この場合、収納カセット部５１に一時貯留されたオーバーフロー紙幣の量が、一時貯留収納庫４１（Ａ）〜４１（Ｄ）のうちの搬送先のものの収納可能残容量未満であることが条件となる。
【０１９６】
また、オーバーフロー紙幣の金種が複数金種である場合の第２収納処理においては、第１実施形態と同様の図４に太線で示すルートによって識別部３１で識別して分配処理動作させるのが良いが、制御部７１がメモリに記憶させておいた金種の序列情報に基づいて、識別部３１を通らない図１７に太線で示すルートで直接、一時貯留収納庫４１（Ａ）〜４１（Ｄ）のうちの対応するものへ分配搬送しても良い。この場合も、収納カセット部５１に一時貯留されたオーバーフロー紙幣の各金種それぞれの量が、一時貯留収納庫４１（Ａ）〜４１（Ｄ）のうちの搬送先のものの収納可能残容量未満であることが条件となる。
【０１９７】
変形例５によれば、オーバーフロー紙幣の第２収納処理の動作において、収納カセット部５１から、一時貯留収納庫４１（Ａ）〜４１（Ｄ）のうちの目的とするものへ最短ルートで紙幣を搬送できるため、処理時間の短縮となる。また搬送距離が短いためジャム発生を抑制することができる。
【０１９８】
［変形例６］  
搬送路６１Ａから分岐する搬送路６１Ｃ〜６１Ｆの分岐ゲートを変形例５と同様の３方向ゲートで構成する。また、一時貯留収納庫４１（Ａ）〜４１（Ｄ）のうち、３方向ゲートが設けられた一つ、例えば、一時貯留収納庫４１（Ｄ）の一時貯留領域部４７を混合金種用とする。これにより、入金処理で発生したリジェクト紙幣とオーバーフロー紙幣とを分離して一時貯留することができる。
【０１９９】
すなわち、入金処理で、金種別の一時貯留収納庫４１（Ａ）〜４１（Ｃ）の一時貯留領域部４７に入りきらずにオーバーフローとなった紙幣を、図１８に太実線で示すように、搬送路６１Ａ，６１Ｆによって、市場流通枚数の少ない金種（二千円券）の一時貯留収納庫４１（Ｄ）の一時貯留領域部４７に、この金種の紙幣とともに搬送するとともに、識別部３１にて受け入れ不可と識別されたリジェクト紙幣を、図１８に太実線から太破線で示すように、搬送路６１Ａによって、収納カセット部５１へ搬送する。そして、入金部２０から紙幣がすべて繰り出された後、図１１に太破線で示すように、搬送路６１Ａ，６１Ｇ，６１Ａ，６１Ｍ，６１Ｋによって収納カセット部５１のリジェクト紙幣を出金返却部２１へと搬送する。出金返却部２１へ搬送されたリジェクト紙幣は、再度、入金部２０へセットされると、入金処理が行われる。
【０２００】
入金確定後、オーバーフロー紙幣が複数金種であって一時貯留収納庫４１（Ｄ）の収納領域部４８に収納する金種がない場合は、図１９に太実線で示すように、一時貯留収納庫４１（Ｄ）の一時貯留領域部４７から繰り出した紙幣を、搬送路６１Ｆ，６１Ａ，６１Ｈ，６１Ｇ，６１Ａで識別部３１に搬送し、識別部３１で識別して、金種別の一時貯留収納庫４１（Ａ）〜４１（Ｃ）に分配搬送して収納する。また、オーバーフロー紙幣が、一時貯留収納庫４１（Ｄ）の収納領域部４８に収納する金種以外の単一金種である場合は、図２０に太線で示すように、一時貯留収納庫４１（Ｄ）の一時貯留領域部４７から繰り出した紙幣を、搬送路６１Ｆ，６１Ａ，６１Ｃ〜６１Ｅによって、識別部３１を介することなく、金種別の一時貯留収納庫４１（Ａ）〜４１（Ｄ）の対応するものに収納することができる。
【０２０１】
ここで、一時貯留収納庫４１（Ｄ）の一時貯留領域部４７に、一時貯留収納庫４１（Ｄ）の収納領域部４８に収納する第４金種の紙幣と他の金種のオーバーフロー紙幣とがある場合は、一時貯留収納庫４１（Ｄ）の一時貯留領域部４７の紙幣をすべて、図２１に太線で示すように、搬送路６１Ｆ，６１Ａで収納カセット部５１に収納後、図４に太線で示すルートでの第２収納処理によって、収納カセット部５１からの分配処理を行う。なお、一時貯留収納庫４１（Ａ）〜４１（Ｄ）のいずれを、オーバーフローとなった紙幣および特定一金種の収納用としても良い。
【０２０２】
あるいは、一番右の一時貯留収納庫４１（Ａ）の一時貯留領域部４７にオーバーフロー紙幣および特定一金種の紙幣を一時貯留し、その直下の収納領域部４８に前記特定一金種の紙幣を収納するように設定して、収納処理時に、オーバーフロー紙幣および前記特定一金種の紙幣を、一時貯留収納庫４１（Ａ）の一時貯留領域部４７から図１６に太実線で示す搬送部６１のループ状の紙幣搬送ルートを反時計廻りで搬送させることにより、他の金種別の一時貯留収納庫４１（Ｂ）〜４１（Ｄ）にそれぞれの金種の紙幣を収納するとともに、収納カセット部５１に一時貯留収納庫４１（Ａ）への紙幣を収納し、その後、収納カセット部５１内の一時貯留収納庫４１（Ａ）への紙幣を、一時貯留収納庫４１（Ａ）に収納する。あるいは、一番右の一時貯留収納庫４１（Ａ）の一時貯留領域部４７のオーバーフロー紙幣および特定一金種の紙幣を、収納カセット部５１に搬送した後、収納カセット部５１からの分配動作を行っても良い。
【０２０３】
変形例６によれば、金種別の一時貯留収納庫４１（Ａ）〜４１（Ｄ）のうちのいずれか１つの一時貯留領域部４７を混合金種用の一括一時貯留部とすることで、一時貯留のリジェクト紙幣と一時貯留のオーバーフロー紙幣とを分離することができる。これにより、リジェクト紙幣を収納カセット部５１に一時貯留してから纏めて出金返却部２１に繰り出す制御ができ、入金取り込みでの間欠動作をなくすことができるため、処理時間を短縮でき、ジャム発生を抑制することができる。
【符号の説明】
【０２０４】
１１  紙幣処理機
２０  入金部
２１  出金返却部（取出部）
３１  識別部
４３  フラッパ（底部）
４７  一時貯留領域部
４８  収納領域部
５１  収納カセット部
７１  制御部（制御手段）
【図１】
2019061604.tif 000003
【図２】
2019061604.tif 000004
【図３】
2019061604.tif 000005
【図４】
2019061604.tif 000006
【図５】
2019061604.tif 000007
【図６】
2019061604.tif 000008
【図７】
2019061604.tif 000009
【図８】
2019061604.tif 000010
【図９】
2019061604.tif 000011
【図１０】
2019061604.tif 000012
【図１１】
2019061604.tif 000013
【図１２】
2019061604.tif 000014
【図１３】
2019061604.tif 000015
【図１４】
2019061604.tif 000016
【図１５】
2019061604.tif 000017
【図１６】
2019061604.tif 000018
【図１７】
2019061604.tif 000019
【図１８】
2019061604.tif 000020
【図１９】
2019061604.tif 000021
【図２０】
2019061604.tif 000022
【図２１】
2019061604.tif 000023